(57)【特許請求の範囲】
【請求項１】
セルラ移動無線電話（ＣＭＲ）システム（８’）における、ページ及び該ページの受信を確認する受取通知を通信するページング受取通知システム（１０’）であって、
前記ページング・メッセージに応答し、前記ページング・メッセージに対応するデータ・メッセージを準備し、前記データ・メッセージを通信経路（１５６）を介して送信する通信手段（１４９）と、
それぞれが前記リモート通信装置（１５２）のひとつを一意的に識別するアドレスを含む前記データ・メッセージを、前記通信経路（１５６）を介して受信し、それぞれその付随するアドレスを含む前記データ・メッセージの選択されたひとつに応答し、前記ＣＭＲシステム（８’）のセルラ・ネットワーク制御チャネル（３８）を介して、前記選択されたデータ・メッセージの受信を確認する受取通知メッセージを送信する複数のリモート通信装置（１５２）と、
前記受取通知メッセージを前記セルラ・ネットワーク制御チャネル（３８）を介して前記リモート通信装置（１５２）から受信する少なくとも一つの移動スイッチング・センター（ＭＳＣ）（２４’）
とから構成され、
前記通信手段は、更に、前記受取通知メッセージを前記ＭＳＣ（２４’）から第一通信リンク（４２’）を介して受信し、前記受取通知メッセージが前記データ・メッセージの特定のひとつに対応するかどうかを決定するため、前記受取通知メッセージを処理することを特徴とするページング受取通知システム。
【請求項２】
前記通信手段（１４９）は、前記受取通知メッセージが前記特定のデータ・メッセージに対応するという判定に応答して、前記特定のデータ・メッセージに対応する前記ページング・メッセージの一つを開始したページング・パーティへ確認メッセージを出力し、前記確認メッセージは、前記リモート通信装置（１５２）による前記選択されたデータ・メッセージの受信の確認を提供する
ことを特徴とする請求項１に記載のページング受取通知システム。
【請求項３】
前記データ・メッセージのそれぞれは、前記ページング・メッセージのひとつに対応し、前記リモート通信装置（１５２）の選択されたひとつを一意的に識別する前記アドレスと、前記対応するページング・メッセージを一意的に識別する受取通知コードと、前記対応するページング・メッセージを開始させたページング・パーティによって供給され、前記選択されたリモート通信装置（１５２）に関連するユーザへの通信を目的とするページング・データとから構成されることを特徴とする請求項１に記載のページング受取通知システム。
【請求項４】
前記受取通知メッセージは、前記受取通知コードから構成されることを特徴とする請求項３に記載のページング受取通知システム。
【請求項５】
前記受取通知メッセージは、更に、前記ユーザによって供給され、前記ページング・パーティへ通信することが意図された動作データから構成されることを特徴とする請求項４に記載のページング受取通知システム。
【請求項６】
前記受取通知メッセージは、前記受取通知コードと、前記ユーザによって供給され、前記ページング・パーティへ通信することが意図された動作データとから構成されることを特徴とする請求項３に記載のページング受取通知システム。
【請求項７】
受取通知メッセージは、セルラ無線電話が最初にＣＭＲシステムに自己識別をする時に、前記セルラ無線電話によって送信される識別信号と対応するようにフォーマットされ、前記識別信号は、移動電話番号及び電子シリアル・ナンバー（ＥＳＮ）とから構成されることを特徴とする請求項６に記載のページング受取通知システム。
【請求項８】
前記受取通知コードは、前記移動電話番号の少なくとも一部分に対応することを特徴とする請求項７に記載のページング受取通知システム。
【請求項９】
前記動作データは、前記ＥＳＮの少なくとも一部分に対応することを特徴とする請求項８に記載のページング受取通知システム。
【請求項１０】
通信手段（１４９）は、更に、前記受取通知コードを前記データ・メッセージのそれぞれに割り当て、前記受取通知コードをメモリ格納装置へ格納受取通知コードとして格納するために出力することを特徴とする請求項７に記載のページング受取通知システム。
【請求項１１】
前記通信手段（１４９）は、前記受取通知メッセージが前記特定のデータ・メッセージに対応するかどうかを、前記受取通知メッセージに含まれる前記受取通知コードを前記特定のデータ・メッセージに関連する前記格納受取通知コードと比較することによって判定することを特徴とする請求項１０に記載のページング受取通知システム。
【請求項１２】
前記リモート通信装置（１５２）のそれぞれは、予め決められた時間期間の間、セルラ・ソースが特定の時間間隔の間に前記セルラ・ネットワーク制御チャネル（３８）を介した前記ＭＳＣ（２４’）とのセルラ通信を開始したかどうかをそれぞれが示すビジー・アイドル・ビットのストリームを検出するため、前記セルラ・ネットワーク制御チャネル（３８）を監視し、前記制御ネットワーク制御チャネル（３８）に対する通信のレベルを、前記ビジー・アイドル・ビットの状態に基づいて決定することを特徴とする請求項１に記載のページング受取通知システム。
【請求項１３】
前記リモート通信装置（１５２）のそれぞれが、前記通信に対する前記レベルが所定の最小しきい値未満の時、前記データ・メッセージを前記ＭＳＣ（２４’）へ送信することを特徴とする請求項１２に記載のページング受取通知システム。
【請求項１４】
前記受取通知メッセージは、ＥＩＡ／ＴＩＡ−５３３に従った拡張プロトコル・メッセージを表すようにフォーマットされることを特徴とする請求項１に記載のページング受取通知システム。
【請求項１５】
セルラ移動無線電話（ＣＭＲ）システム（８’）における、ページされたパーティへの通信のためにページング・パーティによってそれぞれが生成されたページング・メッセージの受信を確認するため、受取通知メッセージを通信する方法であって、
前記ページング・メッセージを前記ページング・パーティから受信するステップと、
前記データ・メッセージが対応する前記ページング・メッセージの受信に応答して、データ・メッセージを準備するステップと、
前記データ・メッセージを通信経路（１５６）を介して送信するステップと、前記データ・メッセージの受信を確認するため、前記データ・メッセージに応答して、受取通知メッセージを準備するステップと、
前記受取通知メッセージを前記ＣＭＲシステム（８’）のセルラ・ネットワーク制御チャネル（３８）を介して、少なくとも一つの移動スイッチング・センター（ＭＳＣ）（２４’）へ送信するステップと、
前記受取通知メッセージの一つが前記データ・メッセージの特定のものに対応するかどうかを決定するため、前記受取通知メッセージを処理するステップ
とからなることを特徴とする方法。
【請求項１６】
前記受取通知メッセージのひとつが前記特定のデータ・メッセージに対応するという判定に応答して、前記特定のデータ・メッセージの受信の確認を与える確認メッセージを出力するステップを更に含むことを特徴とする請求項１５に記載の方法。
【請求項１７】
前記データ・メッセージのそれぞれは、
前記データ・メッセージを受信する選択されたリモート通信ユニット（１５２）を一意的に識別するアドレスと、
前記対応するページング・メッセージを一意的に識別する受取通知コードと、前記対応するページング・メッセージを開始させたページング・パーティによって与えられ、前記ページされたパーティへ通信することを意図したページング・データ
とから構成されることを特徴とする請求項１５に記載の方法。
【請求項１８】
前記受取通知メッセージは、受取通知コードから構成されることを特徴とする請求項１７に記載の方法。
【請求項１９】
前記受取通知メッセージは、更に、前記ページされたパーティによって与えられ、前記ページング・パーティへ通信することを意図した動作データとから構成されることを特徴とする請求項１８に記載の方法。
【請求項２０】
前記受取通知メッセージは、更に、前記受取通知コードと前記別のパーティによって与えられ、前記ページング・パーティへ通信することを意図した前記動作データから構成されることを特徴とする請求項１７に記載の方法。
【請求項２１】
前記受取通知メッセージは、前記セルラ無線電話が最初に前記ＣＭＲシステムに自己識別する時に、セルラ無線電話によって送信される識別信号に対応するようにフォーマットされ、前記識別信号は、移動電話番号と電子シリアル・ナンバー（ＥＳＮ）とから構成されることを特徴とする請求項２０に記載の方法。
【請求項２２】
前記受取通知コードは、前記移動電話番号の少なくとも一部分に対応することを特徴とする請求項２１に記載の方法。
【請求項２３】
前記動作データは、前記変更されたＥＳＮの少なくとも一部分に対応することを特徴とする請求項２２に記載の方法。
【請求項２４】
前記受取通知メッセージを送信する前記ステップは、
セルラ・ソースが前記セルラ・ネットワーク制御チャネル（３８）を介した前記ＭＳＣ（２４）とのセルラ通信を特定の時間間隔の間に開始したかどうかをそれぞれが示すビジー・アイドル・ビットのストリームを検出するため、予め決められた時間期間の間、前記セルラ・ネットワーク制御チャネル（３８）を監視するステップと、
前記ビジー・アイドル・ビットの状態に基づいて、前記セルラ・ネットワーク制御チャネル（３８）に対する通信のレベルを決定するステップと、
前記予め決められた時間期間に対する前記レベルが所定の最小しきい値未満になるまで、前記データ・メッセージを前記ＭＳＣ（２４’）へ送信する前記ステップを遅らせるステップ
とを含むことを特徴とする請求項１５に記載の方法。
【請求項２５】
前記受取通知メッセージを送信する前記ステップは、
時間間隔の満了時に、クロック信号を出力するステップと、
前記クロック信号に応答して、前記受取通知メッセージを送信するステップ
とを含むことを特徴とする請求項１５に記載の方法。
【請求項２６】
セルラ・ソースが前記セルラ・ネットワーク制御チャネル（３８）を介した前記ＭＳＣ（２４’）とのセルラ通信を特定の時間間隔の間に開始したかどうかをそれぞれが示すビジー・アイドル・ビットのストリームを検出するため、予め決められた時間期間の間、前記セルラ・ネットワーク制御チャネル（３８）を監視するステップと、
前記ビジー・アイドル・ビットの状態に基づいて、前記制御ネットワーク制御チャネル（３８）に対する通信のレベルを決定するステップと、
前記クロック信号に応答して、前記通信に対する前記レベルが所定の最小しきい値未満になるまで、前記データ・メッセージを前記ＭＳＣ（２４’）へ送信する前記ステップを遅らせるステップ
とを更に含むことを特徴とする請求項２５に記載の方法。
【発明の詳細な説明】
【０００１】
技術分野
本発明は、一般に、データ通信システムに関し、特に、セルラ移動無線電話システム（ｃｅｌｌｕｌａｒ  ｍｏｂｉｌｅ  ｒａｄｉｏｔｅｌｅｐｈｏｎｅ  ｓｙｓｔｅｍ）のセルラ・ネットワーク制御チャネル（ｃｅｌｌｕｌａｒ  ｎｅｔｗｏｒｋ  ｃｏｎｔｒｏｌ  ｃｈａｎｎｅｌ）を介してデータを通信する方法及び装置に関する。
【０００２】
発明の背景
近年、通信産業は、数多くのリモート・サイトと中央ローケーションとの間で音声及び／又はデータを通信する種々のタイプの無線通信システム（ｗｉｒｅｌｅｓｓ  ｃｏｍｍｕｎｉｃａｔｉｏｎｓ  ｓｙｓｔｅｍｓ）に対して関心を増大させてきた。従来の電話システム用の専用電話設備の利用が、すべての通信応用分野において、便利で経済的な選択肢ではないことは良く認識されている。例えば、自分の作業ベースから離れていなければならない個人は、便利に、かつ、効率的に、自分のベースと通信する必要がある。同様に、多くに産業上のアプリケーションに対して、中央データ収集サイト（ｃｅｎｔｒａｌ  ｄａｔａ  ｃｏｌｌｅｃｔｉｏｎ  ｓｉｔｅ）は、遠隔に位置され、設備の動作や運転についてのデータを収集する種々の監視装置から情報を獲得する必要がある。従来の電話システムの制限を克服するため、二方向無線通信リンク（ｔｗｏ−ｗａｙ  ｗｉｒｅｌｅｓｓ  ｃｏｍｍｕｎｉｃａｔｉｏｎｓ  ｌｉｎｋ）が、別の地点から始動された通信への応答を可能とするためにしばしば必要とされる。最初の通信への応答を提供するという問題を解決する試みにおいて、業界は、二方向無線、移動無線電話、及びページング（ｐａｇｉｎｇ）・システムを含む、いろいろな無線通信システムを提案してきた。
【０００３】
従来の無線通信システムは、好ましい無線伝播用サイトに位置されたベース・ステーション・トランシーバと、警察又はトラック輸送の急派・配車用などの、通常は乗物に位置されるか、ベース・ステーション・トランシーバからのコマンド信号に応答してデータを通信する遠隔設備サイトに位置される、一組のトランシーバを利用する。ほとんどの無線通信システムは、町や市の境界内などの短距離間で、ＶＨＦ（ｖｅｒｙ  ｈｉｇｈ  ｆｒｅｑｕｅｎｃｙ）無線リンクを介して通信を行うのに便利である。
【０００４】
従来の無線通信システムは、専用の通信アプリケーション用には便利であるが、二方向無線は、汎用通信用としては広く受け入れられてはいない。二方向無線の利用は、一般に、米国では、米国連邦通信委員会（ＦＣＣ）によって規制されており、割当てられた周波数スペクトラムは、比較的限られている。更に、通信の質は、通信サイト間の伝播条件に影響される。二方向無線設備は、通常、大きく、重いので、ユーザが常に持ち運んだり、小さい又は既存の設備内に設置するのは難しい。
【０００５】
二方向通信の別の形として、セルラ移動無線電話（ＣＭＲ）システムがあり、これは、大規模な公衆交換電話網（ｐｕｂｌｉｃ  ｓｗｉｔｃｈｅｄ  ｔｅｌｅｐｈｏｎｅ  ｎｅｔｗｏｒｋ：ＰＳＴＮ）に接続され、移動電話ユーザと通常の電話を使ういかなる者（又は、別の移動電話）との間で通信を可能にする。通常のＣＭＲシステムは、無線カバー領域（ｒａｄｉｏ  ｃｏｖｅｒａｇｅ  ａｒｅａ）を、より小さなカバー領域、すなわち、低電力送信機（ｌｏｗ  ｐｏｗｅｒ  ｔｒａｎｓｉｔｔｅｒ）とカバー範囲限定受信機（ｃｏｖｅｒａｇｅ−ｒｅｓｔｒｉｃｔｅｄ  ｒｅｃｅｉｖｅｒｓ）を使うセルに分割することを特徴とする。米国特許３，９０６，１６６号及び４，２６８，７２２号に示されるように、カバー領域が限定されることにより、あるセルで使用される無線チャネルを別のセルで再利用することが可能になる。あるセル内のセルラ移動無線電話がセルの境界を通過して隣接するセルに入ると、セルに付随する制御回路部が、入ったばかりのセルの無線電話の信号強度の方が強いことを検知して、無線電話との通信は、入ったばかりのセルへ「ハンドオフされる（ｈａｎｄｅｄ−ｏｆｆ）」。従って、ＣＭＲシステムは、セルの配列に対して二方向通信を提供でき、その結果、従来の二方向無線通信より広い範囲に対して通信を提供できる。
【０００６】
従来の無線電話は、通常、音声及びデータ両方の通信能力を提供し、従って、無線電話サービスは、一般に、音声とデータの結合されたサービスに見合ったコストで提供されている。しかしながら、この音声及びデータ通信両方の結合は、音声又はデータだけで通信しているユーザの要求を超えるものかもしれない。更に、リアルタイムの音声又はデータ通信は、現在の活動を妨げられることなくメッセージを受信することだけを望むユーザには必ずしも必要とはされていない。二方向無線通信に類似して、ＣＭＲシステムの無線チャネル、特に、音声チャネルに対する周波数スペクトラムは、限られた資源である。
【０００７】
ページング・システムは、小型の受信機であるページャ（ｐａｇｅｒ）と、無数のページャを含む選択された地理的領域（ｇｅｏｇｒａｐｈｉｃ  ａｒｅａ）をカバーする送信機を有する、少なくとも一つのページング端末とを含む。ページャは、通常、多くの他のページャと共有される特定のトーン又はデータビット変調された無線周波数に同調される（ｔｕｎｅｄ）。トーン又はデータビットの特定のシークエンスが、選択されたページャのアドレス又は認証（ｉｄｅｎｔｉｆｉｃａｔｉｏｎ）として使われる。特定シークエンスの受信により、可聴、触知、可視の警報（ａｌｅｒｔ）が起動され、それにより、ＰＳＴＮに接続された電話から呼がページング端末に置かれ、一般に、送信機を介してページャへ通信されたことが示される。ページャの複雑さに依存して、ページング装置は、警報に続いて、音声又はデータ・メッセージを受信するかもしれないし、警報だけで、呼がなされ、所定の行動を取られなければならないことを単にユーザに示すかもしれない。このタイプのページャは、ページ（呼出し）を開始したパーティに、指定されたページャに実際にページが受信されたか否かを知らせることができないので、一方向メッセージ・システムをなすことになる。
【０００８】
従来の一方向ページング・システムを介して受信されたページに応答するため、ページされたパーティは通常、利用可能な従来の電話を見つけて、ページを開始したパーティへの電話呼出し（ｔｅｌｅｐｈｏｎｅ  ｃａｌｌ）を開始しなければならない。また、その代わりに、ページされたパーティは、利用可能であれば、移動無線電話を使用することにより応答呼をかけることもできる。分離されたページャと無線電話装置についての問題を認識して、米国特許５，１４８，４７３号は、無線ページャ・セクションとセルラ無線電話セクションの結合を有するページャ及び無線電話装置について記載する。ページに答えるため、ユーザは、単に、呼をＣＭＲシステムを介して置く。ページャはまた、受信メッセージのうちどれを返すを決定するためユーザに入来呼（ｉｎｃｏｍｉｎｇ  ｃａｌｌ）を遮蔽できるようにし、それにより、不必要な呼に付随するＣＭＲシステム・サービスのコストがなくなる。しかしながら、この装置による受信ページの受取通知（ａｃｋｎｏｗｌｅｄｇｅｍｅｎｔ）には、ＣＭＲシステムの音声チャネル用の比較的限られたスペクトラムの使用が必要とされる。
【０００９】
ページを受信し、ページの受取通知を送信する、二方向通信能力を有するページング・システムも知られている。このようなシステムのうちのあるものは、受取通知機能を有するページャに、最初のページ・コンタクトを受信後即座に呼出しパーティへ応答を通信することを可能にする。応答は、ページ通信の開始者（ｏｒｉｇｉｎａｔｏｒ）に、メッセージがページによって首尾よく受信されたことを通知する音声、数字又は英数字メッセージかもしれないし、更に、受信メッセージに対する応答を提供するかもしれない。このページ受取通知システムは、一般に、ある地理的領域をカバーする一つの中央送信機と、ページャから受取通知信号を受信する一以上の受取通知システム受信機とを含む。受取通知システム受信機は、受取通知メッセージを有線又は無線リンクのいずれかを介して中央送信機へ通信できる。受取通知システム受信機の数は、各ページャに付随する受取通知送信機の送信電力（ｔｒａｎｓｍｉｔｔｉｎｇ  ｐｏｗｅｒ）の関数である。ページャの送信機電力は、ページャの可搬性への要求及び送信機に電力供給するバッテリのサイズを小さくする必要性に基づいて、一般に低く、通常は、１ワット未満である。このようなページング受取通知システムは、ページャに付随する送信機の電力制限の観点から、ローカル・エリア・「オン・サイト」通信に最も適している。
【００１０】
米国特許５，００５，０１４号は、携帯型通信受信機のグループから受信された受取通知信号をメッセージの開始者への最終的な分配のため中央局に効率的に送信する広領域ページング通信システムについて記述する。広領域通信システムは、一群のセルと、中央送信機局と、一群のリモート送信機局と、リモート受信機局とを含む。リモート送信機局は、各セル内で中央に位置され、セル内の一組の携帯型通信受信機へのメッセージ送信を提供する。同様に、リモート受信機局は、各セル内に位置されて、受取通知信号を、受信メッセージに応答する携帯型通信受信機から受信する。メッセージは、通信システムに中央局に置かれるページング端末を介して入力され、その後、携帯型通信受信機への通信のためリモート送信機へ分配される。メッセージが意図された携帯型通信受信機によって受信されると、その受信機は、メッセージの受取りを、リモート受信機局の少なくとも一つに受信され、リモート送信機局を介して中央送信機局に転送される受取通知メッセージを送ることで確認する。
【００１１】
米国特許４，６４４，３５１号は、メッセージを無線チャネルを介して異なるカバー領域を有する一群の固定ページング中央サイトのうちのひとつから一組のリモート・ページング・ユニットへ送信する通信システムについて記述する。各ページング中央サイトは、比較的広く、本質的に隣接する地理的領域をカバーし、ネットワーク制御プロセッサによって制御される一群のベース局を含む。各リモート・ページング・ユニットには一意的なアドレスが割当てられ、中央ページング・サイトの一つと関連付けられている。選択されたリモート・ページング・ユニットに対するメッセージがＰＳＴＮ又は別の付加価値通信網（ＶＡＮ）を介してページング中央サイトで受信されると、それは格納され、選択されたリモート・ページング・ユニットの位置を発見するためファイルが検索される。メッセージとアドレスは、それから、選択されたページング・ユニットをもっとも含んでいそうな無線カバー領域に位置されるページング中央サイトから送信される。選択されたリモート・ページング・ユニットは、メッセージを受信すると、メッセージを格納し、メッセージ受信通知を、ページング中央サイトに返し、ページング中央サイトは、次いで、その格納部からメッセージを削除する。リモート・ページング・ユニットは、ユニットが位置される中央サイトの無線カバー領域に拘らず、そのメッセージを受信し、受取通知をする。
【００１２】
現在のページング受取通知システムは、ページング受取通知システム内の受取通知受信機（及び送信機）の数が、各ページャに付随する送信機の限られた送信電力の関数であるので、広通信領域をカバーする二方向通信システムを実装するため、設備の購入及び設置に莫大な資本の投下が必要とされる。ページング産業は、ページ受取通知をページング・サービスの加入者へ提供することに関心を有してはいるが、ページング受取通知システムを実装するコストによって、多くのサービス提供者は、そのようなページング受取通知システムを設置することをためらっている。
【００１３】
したがって、中央ロケーションと無数のリモート・サイトとの間でデータを通信するために、既存の通信網を適合させることで、先行技術の制限を克服する要求が存在する。更に、メッセージの受取通知を送るのに既存の通信網を適用するニーズも存在する。この既存通信システムの新しい利用方法は、システムによって運ばれる現在の通信への影響を最小限にする必要がある。本発明は、ＣＭＲシステムの既存アーキテクチャを、効率的かつ対費用効果が高いやり方で、リモート・サイトでのデータの収集及び報告とページ・メッセージの受取通知を含めた、ＣＭＲシステムを介したデータ通信をサポートするために、適用する。
【００１４】
（発明の要約）
本発明は、ＣＭＲシステムのセルラ・ネットワーク制御チャネルを介してデータを通信する装置及び方法を提供することで先行技術の問題を解決する。この出願の譲受人の関連会社ＢｅｌｌＳｏｕｔｈ  Ｍｏｂｉｌｉｔｙ社を含むテレコミュニケーション・サービス供給者は、すでに、ＣＭＲネットワークを介した全国的な通信をサポートするために必要な設備を設置している。本発明者は、ＣＭＲシステムが、セルラ移動無線電話網によって提供される既知の音声通信への影響を最小限にしつつ、一方向又は二方向のいずれかのデータ通信を提供するために、新規なやり方で適合され得る既存通信アーキテクチャであることが分かった。本発明は、ＣＭＲシステムの制御チャネルを、中央ロケーションと無数のリモート・サイトとの間のデータ通信のために使うことで、この通信設備の設置済みベースを活用する。このようにして、本発明は、ＣＭＲシステム上の普通電話通話をサポートする音声チャネルに割当てられた貴重な周波数スペクトラムを節約する。
【００１５】
簡単に説明すると、本発明は、リモート・データ・ソースから集められたデータを通信するデータ・メッセージ・システムである。データ・メッセージ・システムは、複数組のデータ報告装置と、少なくとも一つのＣＭＲシステムの移動スイッチング局（ｍｏｂｉｌｅ  ｓｗｉｔｃｈｉｎｇ  ｃｅｎｔｅｒ：ＭＳＣ）と、ＭＳＣに接続されたデータ収集システムとを含む。各データ報告装置は、モニタとセルラ通信装置とを含む。リモート・データ・ソースに接続されるモニタは、選択されたデータを得るために、リモート・データ・ソースの動作を監視（モニタ）する。セルラ通信装置は、対応するモニタに接続され、選択されたデータに応答して、選択されたデータを含むデータ・メッセージを送信する。ＭＳＣは、ＣＭＲシステムのセルラ・ネットワーク制御チャネルを介して、ＣＭＲシステムのカバー領域内で作動しているセルラ通信装置からデータ・メッセージを受信する。次いで、ＭＳＣは、データ・メッセージをデータ収集システムへ第一通信リンクを介して送る。データ収集システムは、メモリ格納装置に接続され、各データ・メッセージを格納し、その後、格納されたデータ・メッセージを処理する。データ収集システムは、ＥＩＡ／ＴＩＡ暫定規格４１（ＩＳ−４１）又は他のベンダー固有のプロトコルと互換のデータ通信を受け取ることができる。
【００１６】
データ収集システムは、また、格納されたデータ・メッセージを第二通信リンクを介してデータ処理システムへ送信できる。データ・メッセージの内容を格納及び／又は処理するためにも作動するデータ処理システムは、通常はデータ収集システムから遠く離れたサイトに位置される。これにより、データ収集システムのためのロケーションでの動作を行わずに、ユーザにとってより便利な中央ロケーションで選択されたデータの処理が可能になる。データ収集システムとデータ処理システムは、通常、別々のサイトに置かれるが、データ収集及びデータ処理システムの動作も、同一の物理的ロケーションにそれらのシステムを設置することで、結合、または、統合できる。
【００１７】
本発明の使用によって、種々のリモート・サイトから獲得される選択されたデータが、一つのロケーションに通信されることができる。データ・ソースには、通常、ユーティリティ・メータ（ｕｔｉｌｉｔｙ  ｍｅｔｅｒｓ）、共同受信設備（ｃｏｍｍｕｎｉｔｙ  ａｎｔｅｎｎａ  ｔｅｌｅｖｉｓｉｏｎ：ＣＡＴＶ）ペイ・パー・ビュー（ｐａｙ−ｐｅｒ−ｖｉｅｗ：ＰＰＶ）端末、自動販売設備、及びセキュリティ・アラーム・システムが含まれる。選択されたデータは、データ・ソースのそれぞれによる動作又は運転の所定のパラメータを記述する。例えば、データ・ソースが消費者のロケーションのすぐそばに位置された電気メータ（ｅｌｅｃｔｒｉｃａｌ  ｕｔｉｌｉｔｙ  ｍｅｔｅｒ）である場合、ソースに接続されたモニタによって示され、ＣＭＲシステムの制御チャネルを介して通信される、ある時間間隔に対する電力需要などのパラメータをユーティリティは得ることができる。
【００１８】
より詳細に説明すると、モニタは、少なくとも一所定時間間隔の間、選択されたデータを記録する記録器（ｒｅｃｏｒｄｅｒ）を含む。記録器は、選択されたデータに、所定時間間隔の開始に対する相対時間を示す時間タグを付け加えることができる。時間タグの使用は、選択されたデータを特定時刻に関連付けることが可能になり、それによって、後日、収集されたデータを処理する際の助けになる。
【００１９】
セルラ無線電話トランシーバとして実装され得るセルラ通信装置は、選択データをＭＳＣへデータ型形式で、ＣＭＲシステムの制御チャネルを介して送信する。これにより、ＣＭＲシステムの音声チャネルに付随する周波数スペクトラムの使用を節約でき、音声チャネル上の呼トラヒックへの干渉が避けられる。セルラ通信装置によるデータ送信は、モニタによって出力されるステータス信号に応答して始動されることができる。このステータス信号は、モニタがデータ・ソースから選択データを記録したことを示し、このデータ収集動作の完了に基づいて、セルラ通信装置に格納された選択データを送信することを促す。
【００２０】
制御チャネル上の通常制御動作への干渉を最小限にするため、セルラ通信装置は、一般に、選択データをＣＭＲシステムの所定の動作オフピーク時間の間に送信する。具体的には、セルラ通信装置は、セルラ・ネットワーク制御チャネルを監視し、ビジー・アイドル・ビット（ｂｕｓｙ  ｉｄｌｅ  ｂｉｔｓ）のストリームを検知する。ビジー・アイドル・ビットのそれぞれの状態は、特定の時間間隔の間に、少なくとも一つのセルラ・ソースが、セルラ・ネットワーク制御チャネルを介したＭＳＣとのセルラ通信を開始したかどうかを示す。２進値の１にセットされたビジー・アイドル・ビットは、制御チャネルがビジーであることを示す。選択された時間間隔の間に送信されたビジー・アイドル・ビットのそれぞれの状態に基づいて、セルラ通信装置は、セルラ・ネットワーク制御チャネル上の通信活動のレベルを決める。セルラ通信装置は、この監視動作の結果が制御チャネル上の通信が非干渉ベースでデータ通信をできるレベルにあることを示す「機会の時間帯（ｗｉｎｄｏｗ  ｏｆ  ｏｐｐｏｒｔｕｎｉｔｙ）」の間、データ・メッセージをＭＳＣへ送信する。
【００２１】
代わりに、セルラ通信装置は、ＣＭＲシステム上の呼トラヒックが通常、低レベルにある早朝の時間帯などの、そのような通信に対して望ましい時間を表す選択された時間期間でデータ・メッセージを送信できる。セルラ通信装置は、最小セルラ呼活動に典型的に付随する時間である時間間隔の満了時にクロック信号を出力するクロックを含む。クロック信号に応答して、セルラ通信装置は、前に格納された選択データを含むデータ・メッセージをＭＣＳへセルラ・ネットワーク制御チャネルを介して送信する。このようにして、セルラ通信装置は、ＣＭＲシステムに対するオフピーク利用時間の間、送信するようにプログラム可能で、これにより、制御チャネル上でＣＭＲシステムによって行われる制御動作に対する干渉を最小限にできる。
【００２２】
セルラ通信装置は、また、ＭＳＣからのセルラ・ネットワーク制御チャネルを介した受信コマンド信号に応答して選択された動作を行える。コマンド信号は、アドレス・データから構成され、セルラ通信装置のそれぞれは、特定のアドレス・データのみに対するコマンド信号へ応答する。セルラ通信装置は、選択されたコマンド信号の受信に応答して、データ・メッセージをＭＳＣへセルラ・ネットワーク制御チャネルを介して送信する。また、別のコマンド信号の受信に応答して、セルラ通信装置は、その対応するモニタによるデータ記録動作を促すため、指示信号を出力する。次いで、モニタは、リモート・データ・ソースの動作を監視し、ある監視時間期間に対する選択されたデータを得る。更に、セルラ通信装置のクロックに対する時間間隔も、また別のコマンド信号の受信に応答して所定の時間に設定することができる。
【００２３】
データ・メッセージは、選択データと、データ・メッセージをＭＳＣへ送信するセルラ通信装置を一意的に識別する予め決められた識別特性（ｉｄｅｎｔｉｆｙｉｎｇ  ｃｈａｒａｃｔｅｒｉｓｔｉｃ）とから構成される。データ・メッセージは、しばしば、レジストレーション信号（ｒｅｇｉｓｔｒａｔｉｏｎ  ｓｉｇｎａｌ）と呼ばれ、通常は、装置が最初にＣＭＲシステムに自己識別する時にセルラ無線電話機によって送信される、識別信号に対応するようにフォーマットされる。識別信号は、通常、移動電話番号（ｍｏｂｉｌｅ  ｔｅｌｅｐｈｏｎｅ  ｎｕｍｂｅｒ）及び電子シリアル・ナンバー（ＥＳＮ）を含む分離したデータ・フィールドから構成される。従って、予め定められた識別特性は、移動電話番号を表すデータ・フィールド内に挿入され、選択データは、ＥＳＮを表すデータ・フィールド内に挿入される。各セルラ通信装置は、異なる予め定められた識別特性が割当てられ、これは、従来の電話番号や選択された１０桁の番号、又は、ＣＭＲシステムの割当てられていない移動電話番号の組に属する移動電話番号［ＸＸＸＸＸＸＸＸＸＸ］の少なくとも一部であることができる。従って、選択データは、セルラ通信装置がＭＳＣとの動作のため、最初に自己識別し、又は「登録」するとき、ＣＭＲシステムの制御チャネルを介して通信される。
【００２４】
本発明の別の態様では、ページング受取通知システムは、（１）ページング・メッセージと（２）ページング・メッセージの受取りを確認する受取通知メッセージの両方を通信するために提供される。ページング受取通知システムは、ページング・メッセージの受取りを証明する受取通知メッセージを受取通知メッセージ収集サイトへ通信するためＣＭＲシステムのセルラ・ネットワーク制御チャネルを使用する。
【００２５】
ページング受取通知システムは、通信システムと、一組のリモート通信装置と、ＣＭＲシステムの少なくとも一つのＭＳＣとを含む。ページング・パーティからのページング・メッセージに応答して、通信システムは、ページング・メッセージに対応するデータ・メッセージを用意する。データ・メッセージは、選択されたリモート通信装置を一意的に識別するアドレス、対応するページング・メッセージを一意的に識別する受取通知コード、及び選択されたリモート通信装置に付随するユーザ又は加入者への通信のために意図されたページング・データを含む。この受取通知コードは、データ・メッセージが選択されたリモート通信装置によって適切に受取通知されたかどうかについての決定をサポートするため、この格納データの後の使用を可能にするため、通信システムによって格納される。通信システムは、その後、データ・メッセージを、通信経路を介して選択されたリモート通信装置へ送信する。
【００２６】
リモート通信装置は、受取通知メッセージを用意して、それをＭＳＣへ、ＣＭＲシステムのセルラ・ネットワーク制御チャネルを介して送信することで、その特定アドレスを含むデータ・メッセージに応答する。受取通知メッセージは、データ・メッセージの有効な受信を示すため、受取通知コードを含む。オプションとして、受取通知メッセージは、ページング・データに応答するためユーザによって入力される、又は、リモート通信ユニットに接続される設備によって供給される、応答動作データを含むこともできる。動作データは、最終的なＣＭＲシステムを介した送信のため、手動又は自動のいずれかで、リモート通信装置に入力される。
【００２７】
ＭＳＣは、セルラ・ネットワーク制御チャネルを介して、ＣＭＲシステムのセル内で動作しているリモート通信装置と通信する。受取通知メッセージに応答して、ＭＳＣは、メッセージがリモート又は外部（ｆｏｒｅｉｇｎ）ＣＭＲシステムに関連するメッセージであることを認識する。これにより、ＭＳＣは、受取通知メッセージを、通信システムによって表わされる適当なリモートＣＭＲシステムへ送信する。
【００２８】
受取通知メッセージに応答して、通信システムは、受取通知メッセージを処理し、受取通知メッセージがデータ・メッセージの特定のひとつに対応するかどうかを判定する。この判定は、受取通知メッセージ内の受取通知コードとデータ・メッセージに関連する格納受取通知コードとを比較することによって行われる。これが一致すると、受取通知は格納されるか、又はページング・パーティへ提供されることができる。
【００２９】
受取通知メッセージは、受取通知コードを含み、オプションとして、ページング・パーティへの通信に対して意図された動作データとを含む。受取通知メッセージは、セルラ無線電話によって送信される識別信号に対応するようにフォーマットされ、ＣＭＲシステム上でのそのデータの通信を可能とする。したがって、受取通知コードは、通常は移動電話番号で埋められるデータ・フィールドに挿入され、動作データは通常はＥＳＮで埋められるデータ・フィールドに挿入される。各受取通知コードは、ページング・メッセージを一意的に識別し、従来の電話番号、選択された１０桁の番号、又は、ＣＭＲシステムの割当てられていない移動電話番号の組に属する移動電話番号の少なくとも一部であることができる。これにより、受取通知コード（及び動作データ）は、リモート通信装置がＭＳＣとの動作のために登録したときに、ＣＭＲシステムの制御チャネルを介して通信される。
【００３０】
上記に鑑み、本発明の目的及び優位点は、リモート・サイトから獲得されたデータを中央ロケーションにＣＭＲシステムのセルラ・ネットワーク制御チャネルを介して通信するデータ・メッセージ・システムを提供することである。
【００３１】
本発明の別の目的及び優位点は、ＣＭＲシステムの既存設備を、ＣＭＲシステムのセルラ・ネットワーク制御チャネルを介してデータ通信をするデータ・メッセージ・システムを実装するのに適用することである。
【００３２】
本発明の別の目的及び優位点は、ＣＭＲシステムのセルラ・ネットワーク制御チャネルを介して、ページング・メッセージの受信に応答する受取通知メッセージを通信するページ受取通知システムを提供することである。
【００３３】
本発明の別の目的及び優位点は、ＣＭＲシステムの既存設備を、ＣＭＲシステムのセルラ・ネットワーク制御チャネルを介してページング・メッセージの受信に応答する受取通知メッセージを通信する受取通知ページング・システムを実装するのに適用することである。
【００３４】
本発明のこれら及び他の目的、特徴、並びに優位点は、以下の詳細な説明を検討し、添付図面及び請求の範囲を参照することで、より明確に理解され、認識されるであろう。
【００３５】
本発明の第１の特徴は、セルの配列のカバー領域内でセルラ無線電話と通信するためのセルの配列を有するセルラ移動無線電話（ＣＭＲ）システム（８）における、複数のリモート・データ・ソース（３０）から収集した選択データを通信するデータ・メッセージ・システム（１０）であって、（イ）選択データを得るため、リモート・データ・ソース（３０）のうちの対応するものを監視し、セルラ無線電話がＣＭＲシステムへ自己識別する時、セルラ無線電話の一つによって送信されたことを識別する信号と選択データを含むデータ・メッセージを送信する複数のデータ報告システム（２９）と、（ロ）セルの配列のカバー領域内で動作しているデータ報告システム（２９）のそれぞれから、データ・メッセージをセルラ・ネットワーク制御チャネル（３８）を介して受信する少なくとも一つの移動スイッチング・センター（ＭＳＣ）（２４）と、（ハ）ＭＳＣ（２４）からの第一通信リンク（４２）を介したデータ・メッセージの受信に応答して、選択データを収集するデータ収集システム（４０）とから構成されるデータ・メッセージ・システムであることを要旨とする。
【００３６】
本発明の第１の特徴に係るデータ・メッセージ・システムのデータ収集システム（４０）は、データ・メッセージを格納データ・メッセージとして格納する少なくとも一つのメモリ格納装置（４４）に接続されても良い。
【００３７】
又、本発明の第１の特徴に係るデータ・メッセージ・システムのデータ収集システム（４０）は、データ・メッセージの選択データを処理するデータ処理システム（４６）へ第二通信リンク（４８）を介して格納データ・メッセージを送信しても良い。
【００３８】
又、本発明の第１の特徴に係るデータ・メッセージ・システムのデータ収集システム（４０）は、データ・メッセージの選択データを処理するデータ処理システム（４６）へ第二通信リンク（４８）を介してデータ・メッセージを送信しても良い。
【００３９】
又、本発明の第１の特徴に係るデータ・メッセージ・システムのデータ収集システム（４０）は、ＥＩＡ／ＴＩＡ暫定標準４１（ＩＳ−４１）と互換であっても良い。
【００４０】
又、本発明の第１の特徴に係るデータ・メッセージ・システムのデータ収集システム（４０）は、コンピュータから構成されても良い。
【００４１】
又、本発明の第１の特徴に係るデータ・メッセージ・システムのデータ・メッセージは、選択データと、データ・メッセージをＭＳＣ（２４）へ送信するデータ報告システム（２９）のうちの所定のひとつを一意的に識別する予め決められた識別特性とから構成されても良い。
【００４２】
又、本発明の第１の特徴に係るデータ・メッセージ・システムの識別特性は、移動電話番号及び電子シリアル・ナンバー（ＥＳＮ）に対するデータ・フィールドから構成されても良い。
【００４３】
又、本発明の第１の特徴に係るデータ・メッセージ・システムの識別特性は、移動電話番号の少なくとも一部分に対応し、選択データは、ＥＳＮの少なくとも一部分に対応しても良い。
【００４４】
又、本発明の第１の特徴に係るデータ・メッセージ・システムのリモート・データ・ソース（３０）は、ユーティリティ・メータ、共同受信設備（ＣＡＴＶ）ペイ・パー・ビュー（ＰＰＶ）端末、自動販売設備、及びセキュリティ・アラーム・システムのグループの少なくともひとつを含んでも良い。
【００４５】
又、本発明の第１の特徴に係るデータ・メッセージ・システムの選択データは、リモート・データ・ソース（３０）のそれぞれに対する動作又は運転の所定のパラメータを記述しても良い。
【００４６】
又、本発明の第１の特徴に係るデータ・メッセージ・システムのデータ報告システム（２９）のそれぞれは、対応するリモート・データ・ソース（３０）に接続され、選択データを得るため、対応するリモート・データ・ソース（３０）を監視するモニタ（３２）と、モニタ（３２）に接続され、選択データを含むデータ・メッセージを送信するセルラ通信装置（３４）とから構成されても良い。
【００４７】
又、本発明の第１の特徴に係るデータ・メッセージ・システムのモニタ（３２）は、少なくとも予め決められた時間期間の間、選択データを記録するレコーダ（６０）から構成されても良い。
【００４８】
又、本発明の第１の特徴に係るデータ・メッセージ・システムのレコーダ（６０）は、選択データに、予め決められた時間期間のそれぞれの開始に対する相対時間を示す時間タグを加えても良い。
【００４９】
又、本発明の第１の特徴に係るデータ・メッセージ・システムのデータ報告システム（２９）のそれぞれは、予め決められた時間期間の間、セルラ・ソースがＭＳＣ（２４）とセルラ・ネットワーク制御チャネル（３８）を介したセルラ通信を始めたかどうかを示すビジー・アイドル・ビットのストリームを検出するため、セルラ・ネットワーク制御チャネル（３８）を監視し、ビジー・アイドル・ビットの状態に基づいて、セルラ・ネットワーク制御チャネル（３８）に対する通信レベルを決定しても良い。
【００５０】
又、本発明の第１の特徴に係るデータ・メッセージ・システムのデータ報告システム（２９）のそれぞれは、通信に対するレベルが所定の最小しきい値未満である時、データ・メッセージをＭＳＣ（２４）へ送信しても良い。
【００５１】
又、第１の特徴に係るデータ・メッセージ・システムのデータ報告システム（２９）のそれぞれは、ＭＳＣ（２４）からのセルラ・ネットワーク制御チャネル（３８）を介したコマンド信号の受信に応答して、予め決められた動作を行っても良い。
【００５２】
又、本発明の第１の特徴に係るデータ・メッセージ・システムのコマンド信号のそれぞれは、アドレス・データから構成され、データ報告システム（２９）のそれぞれが、予め決められたアドレス・データだけに対するコマンド信号に応答しても良い。
【００５３】
又、本発明の第１の特徴に係るデータ・メッセージ・システムのデータ報告システム（２９）の選択されたひとつは、セルラ・ネットワーク制御チャネル（３８）を介したコマンド信号のひとつの受信に応答して、データ・メッセージをＭＳＣ（２４）へセルラ・ネットワーク制御チャネル（３８）を介して送信しても良い。
【００５４】
又、本発明の第１の特徴に係るデータ・メッセージ・システムのデータ報告システム（２９）の選択されたひとつは、セルラ・ネットワーク制御チャネル（３８）を介したコマンド信号のひとつの受信に応答して、所定の監視時間期間の間、対応するリモート・データ・ソース（３０）を監視し、選択データを得ても良い。
【００５５】
又、本発明の第１の特徴に係るデータ・メッセージ・システムのデータ報告システム（２９）は、選択データを格納選択データとして格納するメモリ格納装置に接続されても良い。
【００５６】
又、本発明の第１の特徴に係るデータ・メッセージ・システムのデータ報告システム（２９）は、時間間隔満了時にクロック信号を出力するクロック（８２）を含んでも良い。
【００５７】
又、本発明の第１の特徴に係るデータ・メッセージ・システムのデータ報告システム（２９）は、クロック信号に応答して、格納選択データを含む所定のデータ・メッセージをＭＳＣ（２４）へセルラ・ネットワーク制御チャネル（３８）を介して送信しても良い。
【００５８】
又、本発明の第１の特徴に係るデータ・メッセージ・システムのデータ報告システム（２９）のそれぞれは、時間間隔満了時にクロック信号を出力するクロック（８２）を含んでも良い。
【００５９】
又、本発明の第１の特徴に係るデータ・メッセージ・システムの時間間隔は、データ報告システム（２９）のそれぞれに対して異なっても良い。
【００６０】
又、本発明の第１の特徴に係るデータ・メッセージ・システムのデータ報告システム（２９）のそれぞれは、クロック信号に応答して、データ・メッセージをＭＳＣ（２４）へセルラ・ネットワーク制御チャネル（３８）を介して送信しても良い。
【００６１】
又、本発明の第１の特徴に係るデータ・メッセージ・システムのデータ報告システム（２９）のそれぞれは、クロック信号に応答して、データ・メッセージをＭＳＣ（２４）へセルラ・ネットワーク制御チャネル（３８）を介して送信しても良い。
【００６２】
又、本発明の第１の特徴に係るデータ・メッセージ・システムの時間間隔は、コマンド信号の別のひとつをＭＳＣ（２４）からセルラ・ネットワーク制御チャネル（３８）を介して受信するデータ報告システム（２９）に応答して、所定の時間にセットされても良い。
【００６３】
又、本発明の第１の特徴に係るデータ・メッセージ・システムのデータ報告システム（２９）のそれぞれは、時間間隔満了時にクロック信号を出力するクロック（８２）を含み、クロック信号に応答して、データ・メッセージをＭＳＣ（２４）へセルラ・ネットワーク制御チャネル（３８）を介して送信しても良い。
【００６４】
又、本発明の第１の特徴に係るデータ・メッセージ・システムのデータ報告システム（２９）のそれぞれは、予め決められた時間期間の間、セルラ・ソースがＭＳＣ（２４）とセルラ・ネットワーク制御チャネル（３８）を介したセルラ通信を始めたかどうかを示すビジー・アイドル・ビットのストリームを検出するため、セルラ・ネットワーク制御チャネル（３８）を監視し、ビジー・アイドル・ビットの状態に基づいて、セルラ・ネットワーク制御チャネル（３８）上の通信レベルを決定しても良い。
【００６５】
又、本発明の第１の特徴に係るデータ・メッセージ・システムのデータ報告システム（２９）のそれぞれは、クロック信号に応答して、通信のレベルが所定の最小しきい値未満になるまで、データ・メッセージの送信を遅らせても良い。
【００６６】
又、本発明の第１の特徴に係るデータ・メッセージ・システムのデータ報告システム（２９）のそれぞれは、選択データを格納選択データとして格納するメモリ格納装置に接続されても良い。
【００６７】
又、本発明の第１の特徴に係るデータ・メッセージ・システムのデータ・メッセージは、ＥＩＡ／ＴＩＡ−５３３に従った拡張プロトコル・メッセージを表すようにフォーマットされても良い。
【００６８】
又、本発明の第１の特徴に係るデータ・メッセージ・システムのデータ報告システム（２９）は、イベントの検出に応答して、データ・メッセージをＭＳＣ（２４）へセルラ・ネットワーク制御チャネル（３８）を介して送信しても良い。
【００６９】
本発明の第２の特徴は、セルラ移動無線電話（ＣＭＲ）システム（８’）における、ページ及び該ページの受信を確認する受取通知を通信するページング受取通知システム（１０’）であって、（イ）ページング・メッセージに応答し、ページング・メッセージに対応するデータ・メッセージを準備し、データ・メッセージを通信経路（１５６）を介して送信する通信手段（１４９）と、（ロ）それぞれがリモート通信装置（１５２）のひとつを一意的に識別するアドレスを含むデータ・メッセージを、通信経路（１５６）を介して受信し、それぞれその付随するアドレスを含むデータ・メッセージの選択されたひとつに応答し、ＣＭＲシステム（８’）のセルラ・ネットワーク制御チャネル（３８）を介して、選択されたデータ・メッセージの受信を確認する受取通知メッセージを送信する複数のリモート通信装置（１５２）と、（ハ）受取通知メッセージをセルラ・ネットワーク制御チャネル（３８）を介してリモート通信装置（１５２）から受信する少なくとも一つの移動スイッチング・センター（ＭＳＣ）（２４’）とから構成され、（ニ）通信手段は、更に、受取通知メッセージをＭＳＣ（２４’）から第一通信リンク（４２’）を介して受信し、受取通知メッセージがデータ・メッセージの特定のひとつに対応するかどうかを決定するため、受取通知メッセージを処理するページング受取通知システムであることを要旨とする。
【００７０】
本発明の第２の特徴に係るページング受け取り通知システムの通信手段（１４９）は、受取通知メッセージが特定のデータ・メッセージに対応するという判定に応答して、特定のデータ・メッセージに対応するページング・メッセージの一つを開始したページング・パーティへ確認メッセージを出力し、確認メッセージは、リモート通信装置（１５２）による選択されたデータ・メッセージの受信の確認を提供しても良い。
【００７１】
又、本発明の第２の特徴に係るページング受け取り通知システムのデータ・メッセージのそれぞれは、ページング・メッセージのひとつに対応し、リモート通信装置（１５２）の選択されたひとつを一意的に識別するアドレスと、対応するページング・メッセージを一意的に識別する受取通知コードと、対応するページング・メッセージを開始させたページング・パーティによって供給され、選択されたリモート通信装置（１５２）に関連するユーザへの通信を目的とするページング・データとから構成されても良い。
【００７２】
又、本発明の第２の特徴に係るページング受け取り通知システムの受取通知メッセージは、受取通知コードから構成されても良い。
【００７３】
又、本発明の第２の特徴に係るページング受け取り通知システムの受取通知メッセージは、更に、ユーザによって供給され、ページング・パーティへ通信することが意図された動作データから構成されても良い。
【００７４】
又、本発明の第２の特徴に係るページング受け取り通知システムの受取通知メッセージは、受取通知コードと、ユーザによって供給され、ページング・パーティへ通信することが意図された動作データとから構成されても良い。
【００７５】
又、本発明の第２の特徴に係るページング受け取り通知システムの受取通知メッセージは、セルラ無線電話が最初にＣＭＲシステムに自己識別をする時に、セルラ無線電話によって送信される識別信号と対応するようにフォーマットされ、識別信号は、移動電話番号及び電子シリアル・ナンバー（ＥＳＮ）とから構成されても良い。
【００７６】
又、本発明の第２の特徴に係るページング受け取り通知システムの受取通知コードは、移動電話番号の少なくとも一部分に対応しても良い。
【００７７】
又、本発明の第２の特徴に係るページング受け取り通知システムの動作データは、ＥＳＮの少なくとも一部分に対応しても良い。
【００７８】
又、本発明の第２の特徴に係るページング受け取り通知システムの通信手段（１４９）は、更に、受取通知コードをデータ・メッセージのそれぞれに割り当て、受取通知コードをメモリ格納装置へ格納受取通知コードとして格納するために出力しても良い。
【００７９】
又、本発明の第２の特徴に係るページング受け取り通知システムの通信手段（１４９）は、受取通知メッセージが特定のデータ・メッセージに対応するかどうかを、受取通知メッセージに含まれる受取通知コードを特定のデータ・メッセージに関連する格納受取通知コードと比較することによって判定しても良い。
【００８０】
又、本発明の第２の特徴に係るページング受け取り通知システムのリモート通信装置（１５２）のそれぞれは、予め決められた時間期間の間、セルラ・ソースが特定の時間間隔の間にセルラ・ネットワーク制御チャネル（３８）を介したＭＳＣ（２４’）とのセルラ通信を開始したかどうかをそれぞれが示すビジー・アイドル・ビットのストリームを検出するため、セルラ・ネットワーク制御チャネル（３８）を監視し、制御ネットワーク制御チャネル（３８）に対する通信のレベルを、ビジー・アイドル・ビットの状態に基づいて決定しても良い。
【００８１】
又、本発明の第２の特徴に係るページング受け取り通知システムのリモート通信装置（１５２）のそれぞれが、通信に対するレベルが所定の最小しきい値未満の時、データ・メッセージをＭＳＣ（２４’）へ送信しても良い。
【００８２】
又、本発明の第２の特徴に係るページング受け取り通知システムの受取通知メッセージは、ＥＩＡ／ＴＩＡ−５３３に従った拡張プロトコル・メッセージを表すようにフォーマットされても良い。
【００８３】
本発明の第３の特徴は、セルラ無線電話と通信するためのセルラ移動無線電話（ＣＭＲ）システム（８）における、複数のリモート・データ・ソース（３０）から収集されたデータを通信する方法であって、（イ）選択データを得るため、リモート・データ・ソース（３０）のそれぞれの動作を監視するステップと、（ロ）選択データを含むデータ・メッセージを、セルラ・ネットワーク制御チャネル（３８）を介してＣＭＲシステム（８）の移動スイッチング・センター（ＭＳＣ）（２４）へ送信するステップと、（ハ）セルラ無線電話がＣＭＲシステムへ自己識別する時、セルラ無線電話の一つによって送信される識別信号としてフォーマットされたデータ・メッセージをＭＳＣ（２４）から、データ・メッセージに応答して選択データを収集するデータ収集システム（４０）へ第一通信リンク（４２）を介して送信するステップとからなる方法であることを要旨とする。
【００８４】
本発明の第３の特徴に係る方法は、ＭＳＣ（２４）からデータ・メッセージを受信するデータ収集システム（４０）に応答して、データ・メッセージを格納データ・メッセージとして格納するステップを更に有しても良い。
【００８５】
又、本発明の第３の特徴に係る方法は、格納データ・メッセージを、データ収集システム（４０）から、データ・メッセージの選択されたデータを処理するデータ処理システム（４６）へ第二通信リンク（４８）を介して転送するステップを更に有しても良い。
【００８６】
又、本発明の第３の特徴に係る方法は、データ・メッセージを、データ収集システム（４０）から、データ・メッセージの選択データを処理するデータ処理システム（４６）へ第二通信リンク（４８）を介して転送するステップを更に有しても良い。
【００８７】
又、本発明の第３の特徴に係る方法におけるデータ・メッセージは、選択データと、データ・メッセージをＭＳＣ（２４）へ送信するセルラ通信装置（３４）を一意的に識別する予め決められた識別特性とから構成されても良い。
【００８８】
又、本発明の第３の特徴に係る方法における識別特性は、移動電話番号及び電子シリアル・ナンバー（ＥＳＮ）とから構成されても良い。
【００８９】
又、本発明の第３の特徴に係る方法における識別特性は、移動電話番号の少なくとも一部分に対応しても良い。
【００９０】
又、本発明の第３の特徴に係る方法における監視するステップは、リモート・データ・ソース（３０）に対する選択データを監視するステップと、少なくとも予め決められた時間期間の間、選択データを記録するステップとを含んでも良い。
【００９１】
又、本発明の第３の特徴に係る方法における監視するステップは、予め決められた時間期間のそれぞれの開始時に対する相対時間を示す時間タグを、選択データに追加するステップを更に含んでも良い。
【００９２】
又、本発明の第３の特徴に係る方法は、予め決められた時間期間の間、セルラ・ソースが特定の時間間隔の間にセルラ・ネットワーク制御チャネル（３８）を介したＭＳＣ（２４）とのセルラ通信を開始したかどうかをそれぞれが示すビジー・アイドル・ビットのストリームを検出するために、セルラ・ネットワーク制御チャネル（３８）を監視するステップと、制御ネットワーク制御チャネル（３８）に対する通信のレベルを、ビジー・アイドル・ビットの状態に基づいて計算するステップと、通信のレベルが所定の最小しきい値未満になるまで、データ・メッセージをＭＳＣ（２４）へ送信するステップを遅らせるステップとを更に含んでも良い。
【００９３】
又、本発明の第３の特徴に係る方法は、ＭＳＣ（２４）からのセルラ・ネットワーク制御チャネル（３８）を介したコマンド信号の受信に応答して、予め決められた動作を行うステップを更に含んでも良い。
【００９４】
又、本発明の第３の特徴に係る方法におけるコマンド信号のそれぞれは、アドレス・データから構成され、予め決められた動作を行うステップは、予め決められたアドレス・データのみに対するコマンド信号に応答してのみ完了しても良い。
【００９５】
又、本発明の第３の特徴に係る方法は、コマンド信号の一つの受信に応答して、データ・メッセージをＭＳＣ（２４）へセルラ・ネットワーク制御チャネル（３８）を介して送信するステップを更に含んでも良い。
【００９６】
又、本発明の第３の特徴に係る方法は、セルラ・ネットワーク制御チャネル（３８）を介したＭＳＣ（２４）からのコマンド信号のひとつの受信に応答して、指示信号を出力するステップと、指示信号に応答して、選択されたデータを得るために、所定の監視時間期間の間、リモート・データ・ソース（３０）を監視するステップとを更に含んでも良い。
【００９７】
又、本発明の第３の特徴に係る方法は、選択データを格納選択データとして格納するステップを更に含んでも良い。
【００９８】
又、本発明の第３の特徴に係る方法は、データ・メッセージをＭＳＣ（２４）へ送信するステップは、時間間隔の満了時に、クロック信号を出力するステップと、クロック信号に応答して、データ・メッセージのひとつをＭＳＣ（２４）へセルラ・ネットワーク制御チャネル（３８）を介して送信するステップとを含んでも良い。
【００９９】
又、本発明の第３の特徴に係る方法は、ＭＳＣ（２４）からのセルラ・ネットワーク制御チャネル（３８）を介した、別のコマンド信号の受信に応答して、クロック信号の時間間隔を所定の時間に同期させるステップを更に含んでも良い。
【０１００】
又、本発明の第３の特徴に係る方法におけるデータ・メッセージをＭＳＣ（２４）へ送信するステップは、時間間隔の満了時に、クロック信号を出力するステップと、クロック信号に応答して、選択されたデータを含むデータ・メッセージのひとつをＭＳＣ（２４）へセルラ・ネットワーク制御チャネル（３８）を介して送信するステップとを含んでも良い。
【０１０１】
又、本発明の第３の特徴に係る方法は、セルラ・ソースがＭＳＣ（２４）とのセルラ・ネットワーク・制御チャネル（３８）を介したセルラ通信を特定の時間間隔の間に開始したかどうかをそれぞれが示すビジー・アイドル・ビットのストリームを検出するため、予め決められた時間期間の間、セルラ・ネットワーク制御チャネル（３８）を監視するステップと、ビジー・アイドル・ビットの状態に基づいて、制御ネットワーク制御チャネル（３８）に対する通信のレベルを決定するステップと、通信に対するレベルが所定の最小しきい値未満になるまで、データ・メッセージをＭＳＣ（２４）へ送信するステップを遅らせるステップとを更に含んでも良い。
【０１０２】
又、本発明の第３の特徴に係る方法は、データ・メッセージをＭＳＣ（２４）へ送信するステップは、セルラ・ソースがセルラ・ネットワーク・制御チャネル（３８）を介したＭＳＣ（２４）とのセルラ通信を特定の時間間隔の間に開始したかどうかをそれぞれが示すビジー・アイドル・ビットのストリームを検出するため、予め決められた時間期間の間、セルラ・ネットワーク制御チャネル（３８）を監視するステップと、ビジー・アイドル・ビットの状態に基づいて、制御ネットワーク制御チャネル（３８）に対する通信のレベルを決定するステップと、通信に対するレベルが所定の最小しきい値未満になるまで、データ・メッセージをＭＳＣ（２４）へ送信するステップを遅らせるステップとを含んでも良い。
【０１０３】
又、本発明の第３の特徴に係る方法におけるデータ・メッセージは、イベントの検出に応答して、ＭＳＣ（２４）へ送信されても良い。
【０１０４】
本発明の第４の特徴は、セルラ移動無線電話（ＣＭＲ）システム（８’）における、ページされたパーティへの通信のためにページング・パーティによってそれぞれが生成されたページング・メッセージの受信を確認するため、受取通知メッセージを通信する方法であって、（イ）ページング・メッセージをページング・パーティから受信するステップと、（ロ）データ・メッセージが対応するページング・メッセージの受信に応答して、データ・メッセージを準備するステップと、（ハ）データ・メッセージを通信経路（１５６）を介して送信するステップと、（ニ）データ・メッセージの受信を確認するため、データ・メッセージに応答して、受取通知メッセージを準備するステップと、受取通知メッセージをＣＭＲシステム（８’）のセルラ・ネットワーク制御チャネル（３８）を介して、少なくとも一つの移動スイッチング・センター（ＭＳＣ）（２４’）へ送信するステップと、（ホ）受取通知メッセージの一つがデータ・メッセージの特定のものに対応するかどうかを決定するため、受取通知メッセージを処理するステップとからなる方法であることを要旨とする。
【０１０５】
本発明の第４の特徴に係る方法は、受取通知メッセージのひとつが特定のデータ・メッセージに対応するという判定に応答して、特定のデータ・メッセージの受信の確認を与える確認メッセージを出力するステップを更に含むことを特徴とする請求項１５に記載の方法。
【０１０６】
又、本発明の第４の特徴に係る方法におけるデータ・メッセージのそれぞれは、データ・メッセージを受信する選択されたリモート通信ユニット（１５２）を一意的に識別するアドレスと、対応するページング・メッセージを一意的に識別する受取通知コードと、対応するページング・メッセージを開始させたページング・パーティによって与えられ、ページされたパーティへ通信することを意図したページング・データとから構成されても良い。
【０１０７】
又、本発明の第４の特徴に係る方法における受取通知メッセージは、受取通知コードから構成されて良い。
【０１０８】
又、本発明の第４の特徴に係る方法における受取通知メッセージは、更に、ページされたパーティによって与えられ、ページング・パーティへ通信することを意図した動作データとから構成されても良い。
【０１０９】
又、本発明の第４の特徴に係る方法における受取通知メッセージは、更に、受取通知コードと別のパーティによって与えられ、ページング・パーティへ通信することを意図した動作データから構成されても良い。
【０１１０】
又、本発明の第４の特徴に係る方法における受取通知メッセージは、セルラ無線電話が最初にＣＭＲシステムに自己識別する時に、セルラ無線電話によって送信される識別信号に対応するようにフォーマットされ、識別信号は、移動電話番号と電子シリアル・ナンバー（ＥＳＮ）とから構成されても良い。
【０１１１】
又、本発明の第４の特徴に係る方法における受取通知コードは、移動電話番号の少なくとも一部分に対応しても良い。
【０１１２】
又、本発明の第４の特徴に係る方法における動作データは、変更されたＥＳＮの少なくとも一部分に対応しても良い。
【０１１３】
又、本発明の第４の特徴に係る方法における受取通知メッセージを送信するステップは、セルラ・ソースがセルラ・ネットワーク制御チャネル（３８）を介したＭＳＣ（２４）とのセルラ通信を特定の時間間隔の間に開始したかどうかをそれぞれが示すビジー・アイドル・ビットのストリームを検出するため、予め決められた時間期間の間、セルラ・ネットワーク制御チャネル（３８）を監視するステップと、ビジー・アイドル・ビットの状態に基づいて、セルラ・ネットワーク制御チャネル（３８）に対する通信のレベルを決定するステップと、予め決められた時間期間に対するレベルが所定の最小しきい値未満になるまで、データ・メッセージをＭＳＣ（２４’）へ送信するステップを遅らせるステップとを含んでも良い。
【０１１４】
又、本発明の第４の特徴に係る方法における受取通知メッセージを送信するステップは、時間間隔の満了時に、クロック信号を出力するステップと、クロック信号に応答して、受取通知メッセージを送信するステップとを含んでも良い。
【０１１５】
又、本発明の第４の特徴に係る方法は、セルラ・ソースがセルラ・ネットワーク制御チャネル（３８）を介したＭＳＣ（２４’）とのセルラ通信を特定の時間間隔の間に開始したかどうかをそれぞれが示すビジー・アイドル・ビットのストリームを検出するため、予め決められた時間期間の間、セルラ・ネットワーク制御チャネル（３８）を監視するステップと、ビジー・アイドル・ビットの状態に基づいて、制御ネットワーク制御チャネル（３８）に対する通信のレベルを決定するステップと、クロック信号に応答して、通信に対するレベルが所定の最小しきい値未満になるまで、データ・メッセージをＭＳＣ（２４’）へ送信するステップを遅らせるステップとを更に含んでも良い。
【０１１６】
１．セルラ移動無線電話（ＣＭＲ）システム（８’）における、ページ及び該ページの受信を確認する受取通知を通信するページング受取通知システム（１０’）であって、
前記ページング・メッセージに応答し、前記ページング・メッセージに対応するデータ・メッセージを準備し、前記データ・メッセージを通信経路（１５６）を介して送信する通信手段（１４９）と、
それぞれが前記リモート通信装置（１５２）のひとつを一意的に識別するアドレスを含む前記データ・メッセージを、前記通信経路（１５６）を介して受信し、それぞれその付随するアドレスを含む前記データ・メッセージの選択されたひとつに応答し、前記ＣＭＲシステム（８’）のセルラ・ネットワーク制御チャネル（３８）を介して、前記選択されたデータ・メッセージの受信を確認する受取通知メッセージを送信する複数のリモート通信装置（１５２）と、
前記受取通知メッセージを前記セルラ・ネットワーク制御チャネル（３８）を介して前記リモート通信装置（１５２）から受信する少なくとも一つの移動スイッチング・センター（ＭＳＣ）（２４’）
とから構成され、
前記通信手段は、更に、前記受取通知メッセージを前記ＭＳＣ（２４’）から第一通信リンク（４２’）を介して受信し、前記受取通知メッセージが前記データ・メッセージの特定のひとつに対応するかどうかを決定するため、前記受取通知メッセージを処理することを特徴とするページング受取通知システム。
【０１１７】
２．前記通信手段（１４９）は、前記受取通知メッセージが前記特定のデータ・メッセージに対応するという判定に応答して、前記特定のデータ・メッセージに対応する前記ページング・メッセージの一つを開始したページング・パーティへ確認メッセージを出力し、前記確認メッセージは、前記リモート通信装置（１５２）による前記選択されたデータ・メッセージの受信の確認を提供する
ことを特徴とする請求項１に記載のページング受取通知システム。
【０１１８】
３．前記データ・メッセージのそれぞれは、前記ページング・メッセージのひとつに対応し、前記リモート通信装置（１５２）の選択されたひとつを一意的に識別する前記アドレスと、前記対応するページング・メッセージを一意的に識別する受取通知コードと、前記対応するページング・メッセージを開始させたページング・パーティによって供給され、前記選択されたリモート通信装置（１５２）に関連するユーザへの通信を目的とするページング・データとから構成されることを特徴とする請求項１に記載のページング受取通知システム。
【０１１９】
４．前記受取通知メッセージは、前記受取通知コードから構成されることを特徴とする請求項３に記載のページング受取通知システム。
【０１２０】
５．前記受取通知メッセージは、更に、前記ユーザによって供給され、前記ページング・パーティへ通信することが意図された動作データから構成されることを特徴とする請求項４に記載のページング受取通知システム。
【０１２１】
６．前記受取通知メッセージは、前記受取通知コードと、前記ユーザによって供給され、前記ページング・パーティへ通信することが意図された動作データとから構成されることを特徴とする請求項３に記載のページング受取通知システム。
【０１２２】
７．受取通知メッセージは、セルラ無線電話が最初にＣＭＲシステムに自己識別をする時に、前記セルラ無線電話によって送信される識別信号と対応するようにフォーマットされ、前記識別信号は、移動電話番号及び電子シリアル・ナンバー（ＥＳＮ）とから構成されることを特徴とする請求項６に記載のページング受取通知システム。
【０１２３】
８．前記受取通知コードは、前記移動電話番号の少なくとも一部分に対応することを特徴とする請求項７に記載のページング受取通知システム。
【０１２４】
９．前記動作データは、前記ＥＳＮの少なくとも一部分に対応することを特徴とする請求項８に記載のページング受取通知システム。
【０１２５】
１０．通信手段（１４９）は、更に、前記受取通知コードを前記データ・メッセージのそれぞれに割り当て、前記受取通知コードをメモリ格納装置へ格納受取通知コードとして格納するために出力することを特徴とする請求項７に記載のページング受取通知システム。
【０１２６】
１１．前記通信手段（１４９）は、前記受取通知メッセージが前記特定のデータ・メッセージに対応するかどうかを、前記受取通知メッセージに含まれる前記受取通知コードを前記特定のデータ・メッセージに関連する前記格納受取通知コードと比較することによって判定することを特徴とする請求項１０に記載のページング受取通知システム。
【０１２７】
１２．前記リモート通信装置（１５２）のそれぞれは、予め決められた時間期間の間、セルラ・ソースが特定の時間間隔の間に前記セルラ・ネットワーク制御チャネル（３８）を介した前記ＭＳＣ（２４’）とのセルラ通信を開始したかどうかをそれぞれが示すビジー・アイドル・ビットのストリームを検出するため、前記セルラ・ネットワーク制御チャネル（３８）を監視し、前記制御ネットワーク制御チャネル（３８）に対する通信のレベルを、前記ビジー・アイドル・ビットの状態に基づいて決定することを特徴とする請求項１に記載のページング受取通知システム。
【０１２８】
１３．前記リモート通信装置（１５２）のそれぞれが、前記通信に対する前記レベルが所定の最小しきい値未満の時、前記データ・メッセージを前記ＭＳＣ（２４’）へ送信することを特徴とする請求項１２に記載のページング受取通知システム。
【０１２９】
１４．前記受取通知メッセージは、ＥＩＡ／ＴＩＡ−５３３に従った拡張プロトコル・メッセージを表すようにフォーマットされることを特徴とする請求項１に記載のページング受取通知システム。
【０１３０】
１５．セルラ移動無線電話（ＣＭＲ）システム（８’）における、ページされたパーティへの通信のためにページング・パーティによってそれぞれが生成されたページング・メッセージの受信を確認するため、受取通知メッセージを通信する方法であって、
前記ページング・メッセージを前記ページング・パーティから受信するステップと、
前記データ・メッセージが対応する前記ページング・メッセージの受信に応答して、データ・メッセージを準備するステップと、
前記データ・メッセージを通信経路（１５６）を介して送信するステップと、前記データ・メッセージの受信を確認するため、前記データ・メッセージに応答して、受取通知メッセージを準備するステップと、
前記受取通知メッセージを前記ＣＭＲシステム（８’）のセルラ・ネットワーク制御チャネル（３８）を介して、少なくとも一つの移動スイッチング・センター（ＭＳＣ）（２４’）へ送信するステップと、
前記受取通知メッセージの一つが前記データ・メッセージの特定のものに対応するかどうかを決定するため、前記受取通知メッセージを処理するステップ
とからなることを特徴とする方法。
【０１３１】
１６．前記受取通知メッセージのひとつが前記特定のデータ・メッセージに対応するという判定に応答して、前記特定のデータ・メッセージの受信の確認を与える確認メッセージを出力するステップを更に含むことを特徴とする請求項１５に記載の方法。
【０１３２】
１７．前記データ・メッセージのそれぞれは、
前記データ・メッセージを受信する選択されたリモート通信ユニット（１５２）を一意的に識別するアドレスと、
前記対応するページング・メッセージを一意的に識別する受取通知コードと、前記対応するページング・メッセージを開始させたページング・パーティによって与えられ、前記ページされたパーティへ通信することを意図したページング・データ
とから構成されることを特徴とする請求項１５に記載の方法。
【０１３３】
１８．前記受取通知メッセージは、受取通知コードから構成されることを特徴とする請求項１７に記載の方法。
【０１３４】
１９．前記受取通知メッセージは、更に、前記ページされたパーティによって与えられ、前記ページング・パーティへ通信することを意図した動作データとから構成されることを特徴とする請求項１８に記載の方法。
【０１３５】
２０．前記受取通知メッセージは、更に、前記受取通知コードと前記別のパーティによって与えられ、前記ページング・パーティへ通信することを意図した前記動作データから構成されることを特徴とする請求項１７に記載の方法。
【０１３６】
２１．前記受取通知メッセージは、前記セルラ無線電話が最初に前記ＣＭＲシステムに自己識別する時に、セルラ無線電話によって送信される識別信号に対応するようにフォーマットされ、前記識別信号は、移動電話番号と電子シリアル・ナンバー（ＥＳＮ）とから構成されることを特徴とする請求項２０に記載の方法。
【０１３７】
２２．前記受取通知コードは、前記移動電話番号の少なくとも一部分に対応することをを特徴とする請求項２１に記載の方法。
【０１３８】
２３．前記動作データは、前記変更されたＥＳＮの少なくとも一部分に対応することをを特徴とする請求項２２に記載の方法。
【０１３９】
２４．前記受取通知メッセージを送信する前記ステップは、
セルラ・ソースが前記セルラ・ネットワーク制御チャネル（３８）を介した前記ＭＳＣ（２４）とのセルラ通信を特定の時間間隔の間に開始したかどうかをそれぞれが示すビジー・アイドル・ビットのストリームを検出するため、予め決められた時間期間の間、前記セルラ・ネットワーク制御チャネル（３８）を監視するステップと、
前記ビジー・アイドル・ビットの状態に基づいて、前記セルラ・ネットワーク制御チャネル（３８）に対する通信のレベルを決定するステップと、
前記予め決められた時間期間に対する前記レベルが所定の最小しきい値未満になるまで、前記データ・メッセージを前記ＭＳＣ（２４’）へ送信する前記ステップを遅らせるステップ
とを含むことを特徴とする請求項１５に記載の方法。
【０１４０】
２５．前記受取通知メッセージを送信する前記ステップは、
時間間隔の満了時に、クロック信号を出力するステップと、
前記クロック信号に応答して、前記受取通知メッセージを送信するステップ
とを含むことを特徴とする請求項１５に記載の方法。
【０１４１】
２６．セルラ・ソースが前記セルラ・ネットワーク制御チャネル（３８）を介した前記ＭＳＣ（２４’）とのセルラ通信を特定の時間間隔の間に開始したかどうかをそれぞれが示すビジー・アイドル・ビットのストリームを検出するため、予め決められた時間期間の間、前記セルラ・ネットワーク制御チャネル（３８）を監視するステップと、
前記ビジー・アイドル・ビットの状態に基づいて、前記制御ネットワーク制御チャネル（３８）に対する通信のレベルを決定するステップと、
前記クロック信号に応答して、前記通信に対する前記レベルが所定の最小しきい値未満になるまで、前記データ・メッセージを前記ＭＳＣ（２４’）へ送信する前記ステップを遅らせるステップ
とを更に含むことを特徴とする請求項２５に記載の方法。
【０１４２】
発明の詳細な説明
これから参照する図面は、複数の図面に亘って同様の数字が同様の構成要素を示す。図１は、セルラ移動無線電話（ＣＭＲ）システム８の好ましい環境でのデータ・メッセージ・システム１０の好適実施例を示す。図１に示すように、データ収集システム１０は、無数のデータ・ソースに関連する報告システムによって、データの収集及び中央データ収集サイトへの通信をサポートする。携帯又は移動通信用によく適合されたＣＭＲシステム８の環境内で動作することにより、データ・メッセージ・システム１０は、既存の広領域通信網を活用し、各リモート・データ・サイトとの従来型専用電話施設又は従来の二方向無線通信を介した通信の費用の発生を防止する。本発明者は、ユーティリティ・メータ、共同受信設備（ＣＡＴＶ）ペイ・パー・ビュー（ＰＰＶ）端末、隔離されたサイトで動作している設備、及びセキュリティ・アラーム・システムなどの非常に多様なデータ・ソースから収集されるデータを通信することを含めた、データ収集システム１０に対する無数の通信アプリケーションを予測する。
【０１４３】
データ・メッセージ・システム１０は、ＣＭＲシステムの既存環境を、一以上のリモート・サイトから中央ロケーションにデータを通信するのに適用する。しかしながら、従来の電話通話に対するＣＭＲシステムの音声チャネルの使用を節約するため、データ収集システム１０は、データ通信に対してＣＭＲシステムのセルラ・ネットワーク制御チャネルを使用する。これにより、通常のＣＭＲシステムの音声チャネルの専用とされた貴重な周波数スペクトラムを節約が可能になる。
【０１４４】
通常のＣＭＲシステムは、セル１２によって示されるような、地理的な無線サービス領域を含み、通常、複数のセルが、普通のセルラ・サービス・オペレータのシステムに提供されている。セル１２は、セル１２内で動作しているセルラ移動無線電話とセル・コントロール１６との間で通信を可能とするため、ブロードキャスト・アンテナ１４によってサービスされる。移動スイッチング・センター（ＭＳＣ）２４のような移動電話スイッチング局は、専用電話施設（不図示）又は、より多くは、セル・コントロール１６とＭＳＣ２４との間のセル・ツー・移動スイッチング・センター・データ・リンク２２によってセル１２と通信できる。データ・リンク２２の少なくとも一部は、通常、セル１２とＭＳＣ２４との間に位置される、マイクロ波リンク２０のような無線通信リンクによってサポートされる。
【０１４５】
当業者にはよく知られているように、従来のＣＭＲシステムは、だいたい同じに装備されたセル・サイト１２の適当な配列に結合された少なくとも一つの移動電話スイッチとから構成される。ＭＳＣ２４は、通常、セル１２内で動作している移動無線電話を含む電話通話を公衆交換電話網（ＰＳＴＮ）２６へ電話施設２８を介して結合する。
【０１４６】
データ収集システム１０は、リモート・データ・ソース３０からデータを収集する少なくとも一つのモニタ３２と、収集されたデータをＣＭＲシステムの制御チャネルを介してＭＳＣ２４へ通信するセルラ通信装置３４とからそれぞれが構成される一組のデータ報告装置（ｄａｔａ  ｒｅｐｏｒｔｉｎｇ  ｄｅｖｉｃｅ）２９を含む。対応するリモート・データ・ソース３０に接続されるモニタ３２は、動作又は運転特性に向けられた選択されたデータを得て、記録する。次いで、対応するモニタ３２に信号経路３３を介して接続されているセルラ通信装置３４は、選択データを含むデータ・パケットを準備し、パケットをデータ・メッセージとして送信する。選択データは、データ・ソース３０の動作又は運転の監視に応答して、モニタ３２によって獲得された実際のデータを表す。代わりに、選択データは、予め決められたデータ又はデータ・ソース３０に対するモニタ３２による所定のイベントの検知に関連する予めプログラムされたメッセージを表すこともできる。
【０１４７】
ＭＳＣ２４は、データ・リンク２２、並びにブロードキャスト・アンテナ１４及びセルラ通信装置３４の間のセルラ通信リンク３６の組み合わせによって形成されるセルラ・ネットワーク制御チャネル３８を介してデータ・メッセージを受信する。この通信リンクの組み合わせは、全体で、制御チャネルと呼ばれる。よく知られているように、従来のＣＭＲシステムに対するセルラ・ネットワーク制御チャネルは、一般に、フォーワード制御チャネル（ＦＯＣＣ）及びリバース制御チャネル（ＲＥＣＣ）と記述される二つの無線チャネルから構成される。ＦＯＣＣは、ＭＳＣによって始められた無線電話機への通信に使用される。一方、ＲＥＣＣは、無線電話からＭＳＣ２４への通信に使用される。好適実施例の通信動作も、ＭＳＣ２４とセルラ通信装置３４との間の通信に対して、この慣行用法を使用する。すなわち、制御チャネル３８は、二つの分離したデータ通信経路、ＭＳＣ２４によって始められた通信用のＦＯＣＣとセルラ通信装置（又はセル内で動作する移動無線電話）によって始めれた通信用のＲＥＣＣとからなる。したがって、セルラ通信装置３４は、ＲＥＣＣを介してデータ・メッセージを送信し、ＭＳＣ２４は、ＦＯＣＣを介してコマンド信号を送信する。
【０１４８】
このようなやり方で、ＭＳＣ２４は、ＣＭＲシステム８に対するセル配列のカバー領域内で動作しているセルラ通信装置３４のそれぞれからデータ・メッセージを受信できる。データ・メッセージは、実際の無線電話制御情報に通常含まれるパラメータではなく選択データを含むが、ＭＳＣ２４は、データ・メッセージは無線電話機によって生成されたレジストレーション信号として現われるようにフォーマットされるので、データ・メッセージに、あたかも、それらがセル内で作動中の従来の無線電話から送信されたかのように作用する。
【０１４９】
ＭＳＣ２４は、データ・メッセージに応答して、データ・メッセージを後日の処理のため格納すること、データ・メッセージによって提供される選択データを処理すること、又は、データ・メッセージをデータ収集システム（ｄａｔａ  ｃｏｌｌｅｃｔｉｏｎ  ｓｙｓｔｅｍ）４０へ第一通信リンク４２を介して転送することのうち、一つ又はそれ以上の動作を行うことができる。データ収集システム４０は、メモリ格納装置４４へ接続され、受信データ・メッセージをメモリ格納装置４４に格納することによって選択データを収集する。ＭＳＣ２４と同様に、データ収集システム４０も、選択データを処理して、データ・ソース３０の動作又は運転に関する更なる情報を得ることができる。または、データ収集システム４０は、データ・メッセージをデータ処理システム４６へ第二通信リンク４８を介して送る。データ処理システム４６は、通常は、データ収集システム４０から遠く離れて位置され、中央サイトでの選択データの便利な処理を促進する。第二通信リンク４８は、通常は、従来の電話施設、専用データ・リンク、又は、無線通信リンクによって実装される。
【０１５０】
データ収集システム１０に対する典型アプリケーションは、電気的負荷システムの負荷を監視し、エネルギー消費データを中央サイトへ処理のため通信することである。ユーティリティ産業は、通常、選択された制御シナリオに対して、負荷管理活動の間、エネルギー消費データを収集又は監視することによって電気的負荷管理システムの効率を決める。すなわち、ユーティリティは、ある収集期間の間、選択された顧客によって消費された最大エネルギーを、負荷管理活動がない場合にそれらの顧客によって消費されるであろう最大エネルギーと比較する。ユーティリティは、通常、所定の時間間隔の間の顧客の電力消費を記録するため、各顧客の電気的負荷の近くに置かれる負荷プロファイル記録器を使用する。収集期間が終了すると、記録されたエネルギー消費データは、各負荷プロファイル記録器から中央データ処理サイトへデータ変換及び評価のため転送される。負荷プロファイル記録器によって記録されたエネルギー消費データをデータ処理サイトへ送るのに従来の電話システムを使うことはよく知られている。
【０１５１】
このアプリケーションにおいて、モニタ３２は、エネルギー消費データをデータ・ソース３０（ここでは、電気的負荷）から得るため、負荷プロファイル記録器として動作する。セルラ通信装置３４は、その後、エネルギー消費データを含むデータ・メッセージをＭＳＣ２４へ送信する。ＭＳＣ２４は、データ・メッセージをデータ収集システム４０へエネルギー消費データの処理のため転送でき、又は、データ収集システム４０が、次いで、データ・メッセージをデータ処理システム４６へ処理動作のため送る。このようにして、ユーティリティは、電気的負荷管理プログラムの効率及びコスト利益のユーティリティによる評価をサポートするため、エネルギー消費データを数多くの電気的負荷から収集できる。
【０１５２】
ジュースの自動販売機などの報告システムの商業的活動に関係したデータをモニタし、中央データ収集サイトへ従来の電話施設を介して非専用的に通信するシステムを使うことも、米国特許４，７６６，５４８号に示されるように、よく知られている。かかるシステムにより、在庫の変更、サービス・コール、現金の受取り、所定製品に対する需要、売切れ状態、及びいろいろなアラーム機能など、自動販売機内の種々の出来事の監視ができる。この種のアプリケーションにおいては、モニタ３２が、データ・ソース３０（ここでは、自動販売機）の商業的動作を監視し、セルラ通信装置３４が動作パラメータを含むデータ・メッセージをＭＳＣ２４へ送信する。ユーティリティ・アプリケーションと同様に、ＭＳＣ２４は、データ・メッセージをデータ収集システム４０へ選択されたデータの処理のため転送できる。
【０１５３】
データ収集システム１０は、非常に多様なデータ収集及び報告活動に便利であり、上記の例は本発明の応用範囲を制限することを意図するものではない。
【０１５４】
データ収集システム１０は、従来のＣＭＲシステムに対する既存のアーキテクチャ及び通信プロトコルを適用して、数多くのリンク・サイトから収集されるデータを通信する新規で経済的なアプローチを提供する。ＭＳＣ２４とセルラ通信装置３４との間のデータ・メッセージの通信は、おもに、ＣＭＲシステム通信に対する従来技法及び既知プロトコルに基づいていることが理解されるであろう。したがって、データ収集システム１０の詳細動作を説明する前に、典型的なＣＭＲシステムの動作を概観するのが便利であろう。
【０１５５】
ＣＭＲシステムは、一般に、無線カバー領域を、低電力送信機及びカバー範囲限定受信機を使う、より小さなカバー領域、すなわち、「セル」に分割することを特徴とする。当業者には既知のように、カバー領域が制限されることにより、一つのセルで使われる無線チャネルを、別のセルで再利用できるようになる。あるセル内の移動無線電話がセルの境界を横切って、隣接するセルへ入ると、セルに付随する制御回路部は、入ったばかりのセル内の移動無線電話の信号強度がより強いことを検知し、移動無線電話との通信は、入ったばかりのセルへ「ハンド・オフ」される。
【０１５６】
ＣＭＲシステムは、通常、各無線チャネルと各セルのため、一対の無線周波数を使う。各セルは、通常、少なくとも一つのシグナリング・チャネル（セルラ・ネットワーク制御チャネル又はアクセス・チャネルとも呼ばれる）と幾つかの音声チャネルを含む。制御チャネルは、移動機及び携帯機からのサービス・リクエストを受信し、選択された移動機又は携帯機をページし、移動機又は携帯機に、通話が発生する所定の音声チャネルに同調するように指示するため選択され、又は、専有される。従って、制御チャネルは、普通は、移動及び携帯無線電話の通信動作を制御するデータの送受信を担う。
【０１５７】
制御チャネルは、普通、ＭＳＣから無線電話機への通信のためのＦＯＣＣと無線電話機からＭＳＣへの通信のためのＲＥＣＣとから構成される。ＦＯＣＣは、メッセージ・データ・ワード、ビジー・アイドル信号、及びビジー・アイドル・ビットの多重化データ・ストリームを供給する。ビジー・アイドル・ビットは、監視している無線電話へＲＥＣＣの現在の状態についての指示を与えるのに便利である。ＲＥＣＣが無線電話機によって使用中の場合、ＲＥＣＣは、ビジーとみなされ、ビジー・アイドル・ビットは、二進数の値１にセットされる。また、ＲＥＣＣが使用されていない場合は、ＲＥＣＣは、アイドルとみなされ、ビジー・アイドル・ビットは、二進数の値０にセットされる。従って、無線電話は、普通、制御チャネル上を、ビジー状態からアイドル状態への遷移によって現れる機会の時間帯の間、送信する。すなわち、ビジー・アイドル・ビットは、制御チャネル上のシグナリング・アクティビティの瞬間的な眺めを与え、従来の無線電話は、制御チャネル・アクティビティのこの瞬間的断片に応答する。
【０１５８】
米国のセルラ無線電話システム用のデータ・メッセージと無線チャネルの仕様は、米国連邦通信委員会（ＦＣＣ）Ｄｏｃｋｅｔ  Ｎｏ．７９−３１８に付属するＲｅｐｏｒｔ  ａｎｄ  Ｏｒｄｅｒｓ内で、米国電子工業会／電子通信工業会（ＥＩＡ／ＴＩＡ）規格５３３によって示されており、４７ＣＦＲ§２２に従って実装されている。
【０１５９】
ＥＩＡ／ＴＩＡ−５５３の写しは、米国電子工業会（２００１  Ｐｅｎｎｓｙｌｖａｎｉａ  Ａｖｅｎｕｅ，  Ｎ．Ｗ．，  Ｗａｓｈｉｎｇｔｏｎ，Ｄ．Ｃ．，  ＵＳＡ  ２０００６）のＥｎｇｉｎｅｅｒｉｎｇ  Ｄｅｐａｒｔｍｅｎｔから入手可能である。
【０１６０】
セルラ移動無線電話は、発呼する時、一連のデータ・メッセージをサービス・セルへ送信する。これらのメッセージは、通常、コール・オリジネーション（Ｃａｌｌ  Ｏｒｉｇｉｎａｔｉｏｎ）と呼ばれ、ＥＩＡ／ＴＩＡ−５３３によって規定されている。これらのデータ・メッセージは、移動識別番号（Ｍｏｂｉｌｅ  Ｉｄｅｎｔｉｆｉｃａｔｉｏｎ  Ｎｕｍｂｅｒ：ＭＩＮ）として知られる、ユニットの電話番号の下位７桁、ユニットの機能的特徴を識別するユニットの局クラス・マーク（Ｓｔａｔｉｏｎ  Ｃｌａｓｓ  Ｍａｒｋ：ＳＣＭ）、及び被コール・アドレス（Ｃａｌｌｅｄ  Ａｄｄｒｅｓｓ）又はダイヤルされた電話番号を常に含む。セルラ・システム・オペレータは、通常、セルラ・ユニットの上位３桁又はＮＰＡであるＭＩＮ２及び電子シリアル・ナンバー（Ｅｌｅｃｔｒｏｎｉｃ  Ｓｅｒｉａｌ  Ｎｕｍｂｅｒ：ＥＳＮ）を含む追加データ・ワードも送信する必要がある。ＭＩＮは、加入者によって選択されたセルラ・サービス提供者によって特定の無線電話機に割当てられる。ＭＩＮは、通常は、ＣＭＲシステム・オペレータに固有（ｕｎｉｑｕｅ）の情報を含み、例えば、ＭＩＮの最初の３桁（「ＸＸＸ」）は、通常、エリア・コードに対応し、次の３桁（「ＸＸＸ」）は、通常、エリア・コード内の地理的ロケーションに対応し、最後の４桁（「ＸＸＸＸ」）は、施設の特定部分を識別する。同様に、ＥＳＮは、各移動セルラ無線電話機に固有であり、製造業者及び、ある場合は、モデル番号、製造日等を区別することが出来るフォーマットを有する。
【０１６１】
これらのメッセージは、まず、セルに、そして、データ・リンクを介して、（移動スイッチング・センターとも記載される）移動電話スイッチング・センターへ提供される。「スイッチ」としても知られるＭＳＣは、移動無線電話と他のテレコミュニケーション・ネットワークとの間で音声接続を形成する。ＭＳＣでは、通常、無線電話が、認可されたユーザ又は加入者であるかどうかを、その特定の電話に対応するＭＳＣのデータベース内にエントリーがあるかどうかを見るために無線電話によって提供されるユニットの電話番号、シリアル・ナンバー、及び他の情報を調べることで決定する。ＭＳＣのオプション機能は、コール・オリジネーション・メッセージの一部として受信されたＥＳＮ及びＭＩＮが有効であることを確認することである。もし、ＭＩＮが有効で、無線電話が所定のセルラ・システム内の加入者、すなわち、「ホーム」・ユニットとして識別されると、受信されたＥＳＮは、ＭＳＣのデータベースＥＳＮエントリと、不正（ｆｒａｕｄ）を検知するため比較される。これらのチェックが成功すると、セルラ・コールは進行が許される。
【０１６２】
これもよく知られていることであるが、移動無線電話は、最初に電源投入されると、又は、既に電源が入っている場合にＣＭＲシステムに入ると、ユニットは、システム内にアクティブに存在するとして自己識別できる。無線電話は、自己識別又は「登録」を自律登録（Ａｕｔｏｎｏｍｏｕｓ  Ｒｅｇｉｓｔｒａｔｉｏｎ）として知られるプロセスを介して、コール・オリジネーションと同様のデータ・パケットを提供することによって行う。登録又は識別番号とも呼ばれる自律登録信号は、通常、少なくとも移動電話番号、すなわち、ＭＩＮとＥＳＮに対するデータ・フィールドから構成される。自律登録の元々の設計意図は、潜在的な未来の呼配信の効率を、ＭＳＣに各個人無線電話機の大体の位置を知らせ続けることで、改善し、特定のセルラ・ユニットを見つけるために全てのセルをページする必要性を低くすることで、ページング・チャネル負荷を減らすことにあった。ＭＳＣは、このように情報があたえられると、後に、最後にいたことが知られていたセル又はエリアにあるセルラ・ユニットだけに対して「ページ」し又はベルを鳴らすことができる。最初のページが特定の無線電話を位置決めできなかった場合にのみ、更なるセルがページされるであろう。したがって、自律登録とは、単に、周期的かつ自律的に移動無線電話からサービス・セルに、前にセルラ・ユニットによってセルから受信されたデータ・パラメータに特定される間隔で送信される一組のメッセージである。
【０１６３】
加入者のホーム・サービス・エリア外のサービス・エリアでの自分の移動無線電話の使用、又は使用の試みは、「ローミング（ｒｏａｍｉｎｇ）」と呼ばれ、その使用者（及び付随する移動無線電話機）は、一般に、「ローマー（ｒｏａｍｅｒ）」と呼ばれる。例えば、加入者が別のＣＭＲシステム・サービス提供者のサービス・エリアに入り、無線電話を電源オンすると、無線電話は、続いて、メッセージをその時電話が在る特定セルの制御チャネルを介して受信する。このメッセージは、加入者が特定のセルラ・システム内での動作のため登録するリクエストを含む。応答において、無線電話機に対する移動電話番号及びシリアル・ナンバーの両方が識別情報として送信され、セル・サイトに戻される。セルは、この情報を移動スイッチング・センターへ転送し、移動スイッチング・センターは、即座に、無線電話機がローカル・セルラ・サービス提供者の顧客又は別のセルラ・システムの顧客であるかどうかを確かめる。
【０１６４】
無線電話機が別のセルラ・サービス提供者の顧客である場合は、移動スイッチング・センターは、メッセージ・パケットを特定の電話機に対するホーム・システムへ送る。このメッセージは、特定の無線電話機が別のセルラ・システムに登録されたことを示し、番号の有効性についての情報及び無線電話機に対する課金情報を要求する。ホーム・システムは、要求された情報を含む応答パケットを送信することにより応答する。有効の場合、外部セルラ・システムの移動スイッチング・センターは、ローマーをその登録ユーザ・リストに加え、ホーム・セルラ・システムは、無線電話機に付随する加入者を、サービス・エリア外にいて、別のエリアに登録されたローマーのリストに加える。
【０１６５】
この同じ無線電話機がさらに別のシステムに登録すると、ホーム・システムに対する移動スイッチング・センターのデータベースは、ユニットが再び移動したことを観測し、そのローミング・ユニットがデータベース・システム内でもっとも最近登録した場所のリストを更新する。更に、最初の外部システムにメッセージを送り、ローミング・システムは移動して、別のシステムに登録したこと、及び、最初の外部システムは、特定ユニットをその登録ローマーのリストから削除しなければならないことを知らせる。このようにして、種々の移動スイッチング・センターのデータベースは、以前に登録されたローマーを、これらのローマーがサービス・エリアを去ってからしばらくしたときに、サービスが必要な有効なアカウントとして識別するデータによって散らかされることがなくなる。
【０１６６】
上記のセルラ・システム動作の一般的な情報に鑑み、再び図１を参照すると、セルラ通信装置３４によるデータ・メッセージの送信に応答して、ＭＳＣ２４は、通常、データ・メッセージを送信したセルラ通信装置３４が、セルラ・システム８又は別のシステムにより提供されるサービスの認可されたユーザ又は加入者であるかどうかについて決定する。図２に示され、以下にデータ・メッセージ・フォーマットに関して説明されるように、データ・メッセージは、好ましくは、通常、所定のリモート又は外部セルラ・システム内で動作する無線電話としてセルラ通信装置３４を識別する所定の情報を含む。この情報に基づいて、ＭＳＣ２４は、セルラ通信装置３４は、別のセルラ・システム（この場合、リモート・セルラ・スイッチング）によって提供されるセルラ・サービスに実際に加入しているので、ローマーであると判断する。すなわち、ＭＳＣ２４は、データ・メッセージ内の所定の情報を特定のセルラ・システムに属するものとして識別するリスト又はデータベースを維持し、このデータベースをチェックすることにより、セルラ通信装置３４が加入者又はローマーであるかどうか決定する。したがって、ＭＳＣ２４はデータ・メッセージをＣＭＲシステム８内で動作するローミング移動無線電話からの送信として解釈することがわかるであろう。
【０１６７】
データ・メッセージによって識別されるリモート・セルラ・システムは、電話通話をサポートする実際の動作セルラ・システムではなく、データ収集アプリケーションに専有されるものであり、データ収集システム４０によって表わされる。セルラ通信装置３４は実際は、リモート・セルラ・システムに関連するとの認識のもと、ＭＳＣ２４はデータ・メッセージをデータ収集システム４０に第一通信リンク４２を介して転送する。データ収集システム４０は、ＭＳＣ２４へ、データ・メッセージに関連するローマーがリモート・セルラ・システムの有効又は認可されたユーザであることを確認するメッセージを送ることにより応答する。セルラ通信装置３４は、その後、ＭＳＣ２４において、登録無線電話として登録ローマーのデータベースに追加される。
【０１６８】
データ収集システム４０は、リモート・データ・ソース３０から収集された選択データを含むデータ・メッセージを受信し、ＭＳＣ２４とは異なり、データ・メッセージが、リモート・データ・ソース３０から収集された所望のデータを実際に含むことを認識する。したがって、データ収集システム４０は、セルラ通信装置３４をその登録ローマーのリストから削除するようＭＳＣに指示するメッセージをＭＳＣ２４へ送信する。ＭＳＣ２４は、通常、ローミング無線電話が別のセルラ・システムに移動し、続いて、その別のシステムで動作登録されるとき、このタイプのメッセージを受信することはわかるであろう。したがって、ＭＳＣ２４のデータベースは、データ・メッセージをデータ収集システム４０へ転送後は、もはや、セルラ通信装置３４に関する登録情報を維持する必要はない。
【０１６９】
または、ＭＳＣ２４は、所定の時間間隔の満了時に、かかる登録情報についての自己のデータベースをクリアする。データ収集システム４０は、ローマーが有効なユーザであることを確認し、更にＭＳＣ２４に登録エントリを所定の時間間隔満了時に削除するよう指示するメッセージを送信することによって、データ・メッセージに応答できる。別のオプションとして、ＭＳＣ２４は、データ収集システム４０からの指示なしに、自動的に、登録エントリをＭＳＣデータベースから所定の時間間隔の満了時に削除できる。このようにして、データ収集システム４０はセルラ通信装置３４が有効なユーザを表すことを確認した後は、更に別のメッセージをＭＳＣ２４へ送る必要がなくなる。
【０１７０】
ＭＳＣ２４及びデータ収集システム４０は、ＥＩＡ／ＴＩＡ暫定規格４１（ＩＳ−４１規格）と互換であることが好ましい。ＩＳ−４１規格は、２つのセルラ・システム間の通信に対する通信プロトコルを規定する。ＩＳ−４１規格は、セルラ呼の非類似のセルラ・システム間のハンド・オフを、単一のＣＭＲシステムのセル間で呼がハンド・オフされる場合と異ならないやり方で、できるようにする。更に、ＩＳ−４１規格は、セルラ発呼者（ｃａｌｌｅｒ）が有効なセルラ・サービス加入者であるかどうかを証明するための、呼配信（ｃａｌｌ  ｄｅｌｉｖｅｒｉｅｓ）及び通信交換（ｃｏｍｍｕｎｉｃａｔｉｏｎｓ  ｅｘｃｈａｎｇｅ）を可能とする。このようにして、ＭＳＣ２４は、データ・メッセージを、データ収集システム４０へ、望ましくはＩＳ−４１互換ネットワークとして実装される第一通信リンク４２を介してハンド・オフ又は転送する。応答において、データ収集システムは、データ・メッセージのソース、具体的にはセルラ通信装置３４が有効なセルラ・ソースであることを確認するため、ユーザ確認（ｖａｌｉｄａｔｉｏｎ）メッセージをリンク４２を介して送る。
【０１７１】
すなわち、データ収集システム４０は、受信データ・メッセージがセルラ通信装置３４によって送信された選択データを含むことを認識する。したがって、データ収集システム４０は、受信データ・メッセージを処理し、そのデータ・メッセージ内の予め決められた識別特性を、そのデータベース内のそのような特性のリストと比較する。このデータベースは、望ましくは、既知のセルラ通信装置３４のそれぞれに対する予め決められた特性のエントリ及び付随装置を有効なセルラ・ソースとして識別する対応するデータを含む。肯定的にマッチすると、データ収集システム４０は、望ましくは、ＭＳＣ２４へ確認メッセージを送ることで受信データ・メッセージに応答する。否定的なマッチに応答して、データ収集システム４０は、セルラ通信装置３４に対する有効エントリの不存在を確認するメッセージをＭＳＣ２４へ転送できることもわかるであろう。
【０１７２】
この確認メッセージは、特定のセルラ・ソースによる使用を認可された通信サービスのプロファイルを含むこともできる。例えば、このユーザ・プロファイルは、典型的には、長距離サービスへのアクセス、セルラ・システムを介して（受信せず）発呼するだけのソースの能力等を含むセルラ・ソースに対する動作制限を規定する。好適実施例においては、ユーザ・プロファイル情報は、そのデータベースから特定のセルラ通信装置に対する登録エントリを所定の時間期間の満了後、削除するようＭＳＣ２４に命ずる指示を含むことができる。これにより、ＭＳＣ２４と登録することにより、データ・メッセージをセルラ・システム８を介して通信したセルラ通信装置３４はもはや、ＭＳＣ２４の継続した通信サポートを必要としないので、ＭＳＣ２４は、かかる装置に対するエントリをそのデータベースからクリアすることが可能になる。
【０１７３】
データ収集システム４０は、受信データ・メッセージによって提供される選択データをメモリ格納装置４４内に格納でき、選択されたデータを処理して結果データを格納でき、又は、選択されたデータをデータ処理システム４６へ処理のため転送できる。選択されたデータをデータ処理システム４６へ送る前に、データ収集システム４０は、まず、データ・メッセージをデータ処理システム４６へ運ぶのに許容可能な通信プロトコルへデータ・メッセージを変換する。このステップは、ＭＳＣ２４及びデータ収集システム４０とは異なり、データ処理システム４６と第二通信リンク４８のいずれもがＩＳ−４１規格互換でないので、データ処理システム４６との通信前に必要となる。
【０１７４】
好適実施例においては、セルラ通信装置３４を外部セルラ・システムに付随するローマーとして扱うようにＭＳＣ２４がプログラムされているが、ＭＳＣ２４のデータベースも、セルラ・システム８のセル内で動作するセルラ通信装置３４の予め決められた識別特性に対するエントリを含むようにプログラムできることもわかるであろう。制御チャネル３８を介して、このような装置３４からデータ・メッセージを受信すると、かかるデータベース・エントリを含むＭＳＣ２４は、ＭＳＣデータベースが、メッセージによって提供される予め決められた識別特性に対応するエントリを含むので、送信セルラ通信装置３４を、ローマーとしてではなく、「ホーム」・ユニットとして識別する。したがって、ＭＳＣ２４は、送信セルラ通信装置３４をセルラ・システム８のホーム・ユニットとして登録する。これにより、このセルラ・ソースが有効なユーザ又は加入者であるかどうかを調べるために、データ収集システム４０のような外部セルラ・システムにコンタクトする余分な必要がなくなる。
【０１７５】
しかしながら、データ・メッセージ内の情報のデータ収集システム４０への必要な転送を始めるため、本実施例のＭＳＣ２４は、データ・メッセージが、まだ、データ収集システム４０へ転送されなければならないことを認識するのに適用される。具体的には、データ収集システム４０に一意的に付随する予め決められた識別特性の一部に基づいて、ＭＳＣ２４は、かかる特性を含む全メッセージをデータ収集システム４０へ送るようにスイッチに命ずるデータベース内のエントリの位置を突きとめる。これにより、ＭＳＣ２４は、その後、データ・メッセージを第一通信リンク４２を介してデータ通信システム４０へ転送する。
【０１７６】
データ収集システム４０は、コンピュータで実装可能である。データ収集システム４０のひとつの実施例は、サービス・サーキット・ノードのコンピュータである。Ｍｏｔｏｒｏｌａ社のＥＭＸスイッチ及び他のベンダー独自のスイッチを含む、ＭＳＣ２４のようなスイッチの所定の製品は、データ収集システム４０との通信を実装する装置も提供する。スイッチ製造業者には、ＡＴ＆Ｔ  Ｎｅｔｗｏｒｋ  Ｓｙｓｔｅｍｓ（Ｗｈｉｐｐａｎｙ，  Ｎｅｗ  Ｊｅｒｓｅｙ）、Ｅｒｉｃｓｓｏｎ  Ｒａｄｉｏ  Ｓｙｓｔｅｍｓ（Ｒｉｃｈａｒｄｓｏｎ，  Ｔｅｘａｓ）、Ｈｕｇｈｅｓ  Ｎｅｔｗｏｒｋ  Ｓｙｓｔｅｍｓ（Ｇｅｒｍａｎｔｏｗｎ，  Ｍａｒｙｌａｎｄ）、  Ｍｏｔｏｒｏｌａ（Ｓｃｈａｕｍｂｕｒｇ  Ｉｌｌｉｎｏｉｓ）が含まれる。
【０１７７】
セルラ・システム８は、望ましくは、ＡＭＰＳ又はＤＡＭＰＳセルラ・システムとして実装される。しかし、セルラ・システム８は、ＤＣＳ  １８００、ＧＳＭ、ＩＳ  ９５−ＣＤＭＡ、ＪＴＡＣＳ、ＴＡＣＳ、ＥＴＡＣＳ、ＲＣ２０００、ＮＭＴ  ４５０、ＥＳＭＲ、ＣＴ−２、ＷＡＣＳ、ＮＭＴ  ９００、又は他の同様のワイヤレス・システムを含む、移動局・ツー・セル通信（ｍｏｂｉｌｅ  ｔｏ  ｃｅｌｌ  ｃｏｍｍｕｎｉｃａｔｉｏｎｓ）用の制御チャネルを実装する別のセルラ・システムと互換であることもできることはわかるであろう。
【０１７８】
ＣＭＲシステム８は、セル１２のようなセルの配列を含み、それぞれ、モニタ３２とセルラ通信装置３４により形成される一組の報告システム２９は、通常、セル内に位置されることはわかるであろう。セル１２内の各データ・ソース３０に対して、モニタ３２及びセルラ通信装置３４は、信号経路３１及び３３の長さを最小にするため、望ましくは、データ・ソース３０の近くに位置される。報告装置の経済的な設置を容易にするため、モニタ３２及びセルラ通信装置３４は、同じハウジング内で結合することができ、このハウジングは、データ・ソース３０に隣接して、又は、データ・ソース３０に統合された部分として設置できる。データ・ソース３０の近くに設置するため、信号経路３１及び信号経路３３は、望ましくは、接続装置間で実配線（ｈａｒｄ−ｗｉｒｅｄ）接続を形成する。しかしながら、信号経路３１及び３３は、赤外線通信リンク又はワイヤレス通信リンクのいずれかとしても実装できることはわかるであろう。
【０１７９】
単一のセルラ通信装置３４は、中央サイトに位置される関連データ・ソース３０から収集された選択データの送信を可能にするため、複数のモニタ３２と接続できることはわかるであろう。例えば、単一のセルラ通信装置３４は、オフィス・ビル内又は沿っての中央位置に据え付けられ、複数のモニタ３２は、付随データ・ソース３０からデータを獲得するのを可能にするため、ビル内にわたって分散される。
【０１８０】
データ収集システム４０は、ＭＳＣ２４の近く又は結合部分として位置されることができ、この場合、第一通信リンク４２は、望ましくは、装置間の実配線接続を形成する。しかしながら、データ収集システム４０は、リモート・サイトにも位置されうる。このリモート設置のためには、第一通信リンク４２は、マイクロ波システムのようなワイヤレス通信システム又は、従来の電話施設のような専用データ線として実装されうる。特定タイプのデータの収集をスポンサーしているパーティの便宜のため、データ処理システム４６は、通常、スポンサーしているパーティの近くにある別のリモート・サイトに通常位置される。
【０１８１】
図２は、データ・メッセージ・システム１０によって通信されるデータ・メッセージに対するフォーマットを示すテーブルである。図１及び図２を参照すると、データ・メッセージに対するデータ・レコード５０は、リモート・データ・ソース３０から獲得された選択データに対するデータフィールド５４と、データ・メッセージの送信を始めたセルラ通信装置３４を一意的に識別する予め決まられた識別特性に対するデータ・フィールド５２の両方を含む。ＣＭＲシステム８の既存アーキテクチャを活用するため、データ・メッセージに対するフォーマットは、望ましくは、ＣＭＲシステム８のようなＣＭＲシステムに自己識別するとき、セルラ無線電話によって送信される識別信号に対するメッセージ・フォーマット（又はデータ・レコード）と一致する。
【０１８２】
レジストレーション信号に付随するデータ・メッセージ・フォーマットを使うことによって、セルラ通信装置３４は、有効な移動電話番号及びＥＳＮを含んでいるように見えるデータ・メッセージを送ることによってＭＳＣ２４に「登録」する。セルラ通信装置３４に対して、従来の音声ベースのセルラ電話呼をかけることは意図されてはいないが、セルラ通信装置３４は、それにもかかわらず、ＭＳＣ２４との動作のため登録することで、フィールドから選択データの通信を可能にする。
【０１８３】
図２のデータ・レコード５０に示されるように、レジストレーション信号に対する標準メッセージ・フォーマットは、特定の送信セルラ通信装置３４の識別及び選択データの通信を可能とするため、データ・メッセージによって適用された。具体的には、予め決められた識別特性に対するデータ・フィールド５２は、移動電話番号、又は、セルラ通信装置３４に割当てられたＭＩＮの少なくとも一部に対応する。従って、予め決められた識別特性は、通常は識別信号内のＭＩＮに予約されたデータ・フィールド内で置き換えられる。この予め決められた識別特性は、割り当てられていない移動電話番号の組に属することができる。または、各セルラ通信装置３４に割り当てられた予め決められた識別特性は、従来の電話番号又は１０桁の組であってもよい。予め決められた識別特性は、リモート・データ・ソース３０に付随するセルラ通信装置３４を一意的に識別することによって、データのソースの識別を可能にする。また、予め決められた識別特性は、この予め決められた識別特性を含むデータ・メッセージがデータ収集システム４０に関連することを認識するためにＭＳＣ２４によって使われる情報も提供する。
【０１８４】
更に、リモート・データに対するデータ・メッセージ内のデータ・フィールド５４は、ＥＳＮに対する識別信号のデータ・レコード内のロケーションに対応する。当業者にはわかるように、ＥＳＮは、３２ビット長で、８ビットの製造者コード（ｍａｎｕｆａｃｔｕｒｅｒ  ｃｏｄｅ）を含む。製造者コード・セグメントに基づいてＥＳＮを見たり、調べたりしないセルラ・システムにおいては、通常はＥＳＮで埋められるデータ・フィールドを操作して、３２ビットの選択データを含むデータ・フィールド５４を有するデータ・メッセージを提供することができる。しかしながら、セルラ・システムがＥＳＮの製造者コード・セグメントを使う場合は、データ・フィールド５４内の選択データは、ＥＳＮの残りの２４ビットによって規定される長さから構成される。ほとんどのアプリケーションでは、２４ビットの選択データ（及び、必要であれば、従来のＥＳＮに対する製造者コード・セグメントの８ビット）を有するデータ・メッセージで、関連したデータを提供するには充分であるので、ＥＳＮの製造者コード・セグメントを操作する必要はない。
【０１８５】
従来のレジストレーション信号の一定の予め決められたデータ・フィールドを適用することは、データ・メッセージ内の選択データをＭＳＣ２４へ転送する望ましい方法であるが、別のメッセージ・プロトコルも、所望の情報をセルラ通信装置３４からＭＳＣ２４へ制御チャネル３８を介して送るのに使える。特に、ＥＩＡ／ＴＩＡ−５５３は、上記記載の予め決められた識別特性及び選択データに対するデータ・フィールドを含めるために適用できる拡張（ｅｘｔｅｎｄｅｄ）プロトコル・メッセージを定義している。このタイプのメッセージ転送に対して、データ・メッセージは、ＥＩＡ／ＴＩＡ−５５３に従って拡張プロトコル・メッセージを表すようフォーマットされている。この拡張プロトコルは、ＭＳＣと移動セルラ装置との間のインターフェースのシグナリング能力を拡張し、現在及び未来のセルラ・システムに対して新しい機能及び動作能力を与える。
【０１８６】
ＥＩＡ／ＴＩＡ−５５３に規定されているように、ＲＥＣＣに対する拡張プロトコル・メッセージは、メッセージ・ヘッダ及び、少なくとも一つのメッセージ・データ・ワード（Ｎメッセージ・データ・ワードまで）を含む。メッセージ・ヘッダは、二つのワード、ヘッダ・ワードＡ及びヘッダ・ワードＢとからなる。ヘッダ・ワードＡは、以下のフィールドを有するフォーマットを持つ：ヘッダの開始を示すフィールドＦ１（２進値１１にセットされた２ビット）；予約フィールドＲＳＶＤ（２進値００にセットされた２ビット）；メッセージ・クラス・フィールドＴ（２進値１にセットされた１ビット）；システムにアクセスする時にセルラ装置がそのシリアル・ナンバーを送るべきかどうかを示すＳフィールド（２進値０にセットされた１ビット）；セルラ装置がＭＩＮ１及びＭＩＮ２を送るべきかどうかを示すＥフィールド（２進値１にセットされた１ビット）；拡張プロトコル表示ＥＲフィールド（１ビット）；ＳＣＭフィールド（４ビット）；ＭＩＮフィールド（２４ビット）；及び巡回冗長（ｃｙｃｌｉｃ  ｒｅｄｕｎｄａｎｃｙ）コードＰ（１２ビット）。ヘッダ・ワードＢは、以下のフィールドを有する：第２ヘッダ・ワードの開始を示すフィールドＦ２（２進値１０にセットされた２ビット）；予約フィールドＲＳＶＤ（２進値００にセットされた２ビット）；メッセージ長表示ＭＳＬフィールド（５ビット）；メッセージ・タイプ表示ＭＳＴフィールド（８ビット）；セルラ装置による次のアクセスが最後のアクセスの試みであるかどうかを示すＬＴフィールド（１ビット）；拡張プロトコル機能表示ＥＰフィールド（２進値１にセットされた１ビット）；予約フィールドＲＳＶＤ（２進値０．．．０にセットされた７ビット）；ＭＩＮ２フィールド（１０ビット）；及び巡回冗長コードＰ（１２ビット）。メッセージ・データ・ワードは、以下のフィールドを含む：最初からＮ−１までのメッセージ・データ・ワードを意味するフィールドＦ３（２進値０１にセットされた２ビット）又は最後のメッセージ・データ・ワードを意味するフィールドＦ４（２進値００にセットされた２ビット）；及び巡回冗長コードＰ（１２ビット）。
【０１８７】
移動スイッチング・センターは、通常、拡張プロトコル・メッセージに対して予め決められた動作を行うように、又は、拡張プロトコル・メッセージの受取りに応答して所定のアクションを実装するようにプログラムされるか、さもなければ、適用される。このタイプのメッセージ・プロトコルを活用するため、ＭＳＣ２４は、望ましくは、データ収集システム４０へ拡張プロトコル・メッセージとしてフォーマットされた各データ・メッセージを転送するようにプログラムされる。この拡張プロトコル・メッセージの通信は、ＭＳＣ２４又はデータ収集システム４０を、ＩＳ−４１互換通信システムとして実装することを要求するものではない。したがって、この実施例における第一通信リンク４２は、ＩＳ−４１互換通信網としてでなく、専用線リンク又はワイヤレス通信リンクとして実装できる。
【０１８８】
図３は、報告システム２９の構成要素、すなわち、モニタ３２とセルラ通信装置３４を説明するブロック図である。図１及び図３の参照すると、モニタ３２は、レコーダ６０、メモリ６２、及び一以上のセンサ６４を含む。レコーダ６０は、データ・ソース３０に信号経路３１を介して接続され、データ・ソース３０の所定の動作又は運転特性を検知するために、センサ６４を使う。検知された特性は、望ましくは、メモリ格納装置６２内に格納される選択データを表す。メモリ６２は、望ましくは、ランダム・アクセス・メモリ（ＲＡＭ）である。しかし、メモリ６２は、コンピュータのハード・ディスク装置又は光ディスク装置を含めた他のタイプの大容量データ格納装置で実装することもできることは分かるであろう。
【０１８９】
信号経路３１は、選択データをレコーダ６０へ転送する一以上の信号チャネルを表すこと、及び、レコーダ６０は、単一又は複数チャネル・レコード装置のいずれとしても実装できることは分かるであろう。各信号チャネルは、通常は、データ・ソース３０に対する異なる動作又は運転特性に付随する。
【０１９０】
所定のアプリケーションにおいて、レコーダ６０は、データ・ソース３０からの選択データを予め決められた時間期間の間、記録する。レコーダ６０に接続されたクロック６６は、タイミング・データをレコーダ６０に与え、それにより、レコーダ６０が選択データに時間タグを追加できる。時間タグは、記録動作の各予め決められた時間期間のスタートに対する相対時間を示す。予め決められた時間期間が既知の値であるとすると、時間タグ・データの追加により、各データ報告動作に対する開始及び終了時間の計算ができるようになる。データ収集時間の選択データとの相関関係は、所定の処理動作にとっては望ましい。クロック６６は、ハードウェア装置として供給される従来のカウンタとして、又は、マイクロプロセッサによって実行されるソフトウェア・ルーチンとして実装できる。
【０１９１】
セルラ通信装置３４は、少なくともデータ受信機７０、セルラ送信機７２、及びコントローラ７４を含む。データ受信機７０は、レコーダ６０に信号経路３３を介して接続され、データ・ソース３０からモニタ３２によって得られた選択データを受信する。コントローラ７４は、データ受信機７０及びセルラ送信機７２に接続され、データ受信機７０及びセルラ送信機７２のそれぞれの動作を制御する。コントローラ７４は、望ましくは、当該技術分野で知られた方法で制御動作を行うようにプログラムできるマイクロプロセッサ・ベースの制御システムである。
【０１９２】
選択データに応答して、コントローラ７４は、セルラ送信機７２に付随する予め決められた識別特性及びデータ・ソース３０から収集された選択データを含むデータ・パケットを準備する。セルラ送信機７２は、対応するデータ・メッセージをＣＭＲシステム８の制御チャネル３８を介して送信することによってデータ・パケットに応答する。特に、セルラ送信機７２は、制御チャネル３８のＲＥＣＣを使って、データ・メッセージをＭＳＣ２４へ送る。セルラ送信機７２は、無線電話機に対する従来の送信機として実装できるが、望ましいセルラ送信機７２は、ＣＭＲシステム８のデータ無線チャネルだけをデータ・メッセージの送信に使う。
【０１９３】
セルラ通信装置３４は、更に、双方向（ｂｉ−ｄｉｒｅｃｔｉｏｎａｌ）データ経路を介してコントローラ７４に接続されるメモリ格納装置７６を含む。データ受信機７０によって受信された選択データは、データ・メッセージをセルラ送信機７２によって送信する前にメモリ格納装置７６に格納することができる。メモリ格納装置７６はメモリ格納装置６２から分離したメモリとして示されているが、メモリ格納装置６２及び７６は、レコーダ６０とコントローラ７４の両方からアクセスできる単一のメモリとして実装することができる。
【０１９４】
ＭＳＣ２４から通信を制御チャネル３８を介して受信するため、セルラ通信装置３４は、また、セルラ受信機７８を含む。セルラ受信機７８は、コントローラ７４に接続され、従来の無線電話用のセルラ受信機として実装することができる。しかしながら、セルラ送信機７２と同様に、望ましいセルラ受信機７８は、ＣＭＲシステムの音声無線チャネルではなく、主にデータ無線チャネルを介して、情報を受信するよう動作する。
【０１９５】
セルラ・ネットワーク・制御チャネルのＦＯＣＣは、セルラ・ネットワーク制御チャネルのＲＥＣＣの状態を示すため、ビジー・アイドル・ビットのストリームを運ぶことはよく知られている。ＲＥＣＣは、ビジー・アイドル・ビットが２進数の値１にセットされていれば、ビジーである。セル１２内の一以上のセルラ通信装置３４による送信が制御チャネル３８上の通常制御信号トラヒックに与える影響を最小限にするために、セルラ送信機７２は、望ましくは、チャネルが利用可能又は利用可能と思われる期間の間に、データ・メッセージを送信する。したがって、セルラ受信機７８は、監視されているセルに対するＲＥＣＣ上の活動量を判定するため、制御チャネル３８のＦＯＣＣを監視する。予め決められた時間期間の間、ＦＯＣＣを監視し、２進数の値１にセットされたビジー・アイドル・ビットの数をカウントすることにより、セルラ通信装置３４は、その時間期間の間の制御チャネル活動のレベルを決定できる。制御チャネル活動のレベルが、制御チャネル上の軽い活動又は活動なしに付随する所定のしきい値以下に落ちると、コントローラ７４は、データ・パケットをセルラ送信機７２へ供給する。これに応えて、セルラ送信機７２は、制御チャネル３８のＲＥＣＣを介したＭＳＣ２４へのデータ・メッセージ送信を始める。
【０１９６】
すなわち、セルラ通信装置３４は、望ましくは、連続した予め決められた時間期間の間、制御チャネル３８のＦＯＣＣによって運ばれるビジー・アイドル・ビットを監視する。セルラ通信装置３４は、（１）各監視時間期間当たりの２進数の値１にセットされたビジー・アイドル・ビットの「最高」カウントの実行時（ｒｕｎｎｉｎｇ）平均、及び、（２）監視時間期間当たりの２進数の値１にセットされたビジー・アイドル・ビットの最後の「ｎ」カウントを、計算し格納する。実行時平均を計算するため、新しく獲得された２進数の値１にセットされたビジー・アイドル・ビットの時間期間あたりのカウントは、直前の間隔でのカウントが、格納された平均より一標準偏差低い値より高い場合、格納された２進数の値１にセットされたビジー・アイドル・ビットの平均と平均がとられる。データ・メッセージを制御チャネル３８を介して送信する前に、セルラ通信装置３４は、格納された時間期間あたりの２進数の値１にセットされたビジー・アイドル・ビットの最後の「ｎ」カウントを平均し、その計算された「ｎ」平均を格納された実行時平均と平均をとる。計算された「ｎ」平均が、格納された実行時平均以下に落ちた場合、セルラ通信装置３４はデータ・メッセージを出力する。しかしながら、計算された「ｎ」平均が格納された実行時平均を超える場合は、セルラ通信装置３４は、送信を遅らせる。制御チャネル上の瞬間的な活動状況に応答する従来の無線電話機と対照的に、上述した送信キューイング（ｑｕｅｕｉｎｇ）・プロセスは、ビジー・アイドル・ビットのストリームの決定論的分析に基づいた発見的（ｈｅｕｒｉｓｔｉｃ）方法であることがわかるであろう。
【０１９７】
このようにして、セルラ送信機７８は、制御チャネルがセルラ通信装置３４によって支障なく利用可能である時だけ、データ・メッセージを送信する。このデータ・キューイング形式により、セル１２内の数多くのセルラ通信装置３４の動作がセル内の動作無線電話を伴う通常の電話通話を妨げる可能性を最小限にできる。しかし、セルラ送信機７８は、制御チャネル３８の利用可能性をまずチェックせずに、データ・メッセージを送信できることもわかるであろう。
【０１９８】
または、セルラ通信装置３４は、制御信号トラヒックが通常、最低レベルにある、深夜と午前６時の間の早朝時間のような、所定の時間間隔の間、データ・メッセージを送信するようにプログラムすることができる。このタイプの自動送信動作を可能とするため、セルラ通信装置３４は、コントローラ７４に接続されたクロック８２を含む。クロック８２は、時間間隔の満了に応答して、クロック信号を出力する。クロック信号に応答して、コントローラ７４は、データ・メッセージ送信をセルラ送信機７２によって始める。このようにして、選択データは、既知の時間間隔の間、セル１２内の報告装置の一つから中央ロケーションへ送信される。
【０１９９】
クロック８２は、望ましくは、制御チャネル３８の使用が減少レベルにある時間期間の間、クロック信号を出力し、これにより、セルラ通信装置３４がＣＭＲシステム８の通常通信動作を妨げる可能性を最小限にする。特に、時間間隔は、望ましくは、セル１２内の種々のセルラ通信装置３４によるデータ・メッセージ送信が、セル内で動作する無線電話との間で送受信する音声呼処理メッセージと非干渉ベース行えることを確実にするため、ＣＭＲシステム８上の従来の電話通話トラヒックに対する減少活動期間の先行知識を利用して選択される。クロック８２は、ハードウェア・カウンタとして、又は、コントローラ７４によって実行されるプログラム命令によって実装されるソフトウェア・カウンタとして実装することができる。
【０２００】
セルラ通信装置３４によるデータ送信は、また、モニタ３２による信号経路３３を介したステータス信号出力に応答しても始められる。このステータス信号は、セルラ通信装置３４に、格納された選択データを制御チャネル３８のＲＥＣＣを介して送信させる。モニタ３２は、通常、データ記録イベントの終了に応答して、ステータス信号を出力する。例えば、典型的な自動販売機施設のアプリケーションでは、モニタ３２は、メインテナンス・サービス要求の検出のようなアラーム・イベントに応答して、ステータス信号を出力できる。または、ユーティリティ負荷管理アプリケーションにおいては、モニタ３２は、ユーティリティの負荷制御装置の不正操作のおそれの検出に応答して、ステータス信号を出力できる。当業者は、ステータス信号の生成はイベント駆動であり、データ・メッセージ・システム１０に対するアプリケーションがこれらのイベントを決定することは、わかるであろう。
【０２０１】
セルラ通信装置３４によってデータ・メッセージ送信を始めるため、クロック信号又はステータス信号を出力するプロセスは、所定の既知無線電話機によって行われる自律登録動作と類似していることがわかるであろう。自律登録においては、無線電話は、自動的に、それ自身の登録動作を始めることによって、セルラ・システムに自己識別する。同様に、説明された実施例においては、セルラ通信装置３４は、無線電話機の登録信号用のデータ・レコードを表すメッセージ・フォーマットを有するデータ・メッセージを送ることによってクロック信号又はステータス信号に応答する。次いで、ＭＳＣ２４は、データ・メッセージを制御チャネル３８を介して受信し、その後、あたかも従来の無線電話機によって送信された登録信号のようにデータ・メッセージに作用する。
【０２０２】
クロック８２に対する時間間隔は、望ましくは、データ・メッセージ送信からのいかなる干渉も最小限にするように選択されるが、クロック８２がセルラ送信機７２による送信を開始するためクロック信号を出力する時、セルラ・ネットワーク制御チャネル３８がビジーである可能性もある。この起こりうる干渉問題を最小限にするため、データ・メッセージ送信は、セルラ通信装置３４が予め決められた時間期間の間に対する所定のしきい値未満となる制御チャネル３８上の活動レベルを検出するまで、遅延される。これは、通常であればクロック信号に直接応答して生じるデータ・メッセージ送信を遅らせるが、この遅延により、セルラ通信装置３４は制御チャネル３８がビジーでない間隔の間、データ・メッセージを送信することが可能になる。
【０２０３】
この実施例においては、コントローラ７４は、ＦＯＣＣによって運ばれ、セルラ受信機７８を介して受信される２進数の値１にセットされたビジー・アイドル・ビットを検出し、実行時平均と「ｎ」平均の両方を計算することによって、クロック８２によって出力されるクロック信号に応答する。この実行時平均は、メモリ格納装置７６内に格納される。コントローラ７４は、計算された「ｎ」平均が格納された実行時平均以下に落ちたときのみ、選択データを含むデータ・パケットをセルラ送信機７２へ供給する。データ・メッセージの送信をキューイングするこのプロセスは、通常、データ・メッセージ送信を開始する前に、メモリ７６内の選択データの格納を必要とすることはわかるであろう。
【０２０４】
制御チャネル３８のようなセルラ・ネットワーク制御チャネルは、ＭＳＣ２４とセル１２内で動作している無線電話装置との間の二方向通信経路であることは、よく知られている。従って、受信機７８は、通信をＭＳＣ２４から制御チャネル３８のＦＯＣＣを介して受信するのにも有用である。特に、ＭＳＣ２４は、セル１２内の一以上のセルラ通信装置３４の所定の動作を始めさせるため、又は、所定の機能を制御するため、コマンド信号を制御チャネル３８を介して出力できる。セルラ通信装置３４は、望ましくは、コマンド信号に付随する、特定の動作を行うこと、又は、所定の機能を制御することによって、コマンド信号に応答するようプログラムされる。
【０２０５】
コマンド信号は、通常、アドレス・データを含み、各セルラ通信装置３４は、その予め決められたアドレス・データを含むコマンド信号のみに応答する。これにより、ＭＳＣ２４は、一以上の所定の選択された通信装置３４と通信できるようになる。アドレッシング動作を適切に使用することにより、ＭＳＣ２４は、セル１２内の装置３４の全体グループから選択されるセルラ通信装置３４のサブセットの動作又は機能を遠隔的に制御することができるようになる。
【０２０６】
コマンド信号のアドレス・データは、望ましくは、従来の電話番号を表す１０桁の数である。この電話番号の少なくとも一部は、対応するセルラ通信装置３４に割り当てられる。（もし、利用可能であれば）１０桁電話番号の残りの部分は、特定の動作又は機能に対するコマンドを表すことができる。このようにして、セルラ通信装置３４は、そのアドレス・データを含むコマンド信号にのみ応答し、アドレス・データによって識別される特定の動作又は機能を行うようにプログラムすることができる。
【０２０７】
コマンド信号をセルラ通信装置３４へ送信することにより、ＭＳＣ２４は、セルラ通信装置３４の種々の動作を遠隔的に制御でき、又は、装置３４の種々のプログラム可能な動作パラメータを遠隔的に定義できる。選択されたコマンド信号に応答し、セルラ通信装置３４は、データ・メッセージをＭＳＣ２４に送信することによって、ＭＳＣ２４に「登録」する。このコマンド信号は、ＡＴ＆ＴのＡｕｔｏｐｌｅｘ  ＳｙｓｔｅｍのようなＣＭＲシステムによって生成される従来の位置決め要求（Ｌｏｃａｔｅ  Ｒｅｑｕｅｓｔ）信号と類似しており、選択された無線電話機の登録を要求する。このコマンド信号の使用により、選択されたセルラ通信装置３４は、所望の選択データを含むデータ・メッセージの送信を始めるため、ＭＳＣ２４によっていつでもポーリングされ得る。
【０２０８】
別のコマンド信号に応答して、クロック８２に対する時間間隔は、変更され、さもなければ、代替時間間隔と置き換えられる。セルラ通信装置３４は、更に別のコマンド信号に応答して、モニタ３２にデータ・ソース３０からのデータの記録を開始するよう指示することもできる。すなわち、コントローラ７４は、セルラ受信機７８によるコマンド信号の検出に応答し、データ報告動作を促すため、指示信号をレコーダ６０へ出力する。
【０２０９】
図４は、リモート・データ・ソースから収集されたデータをセルラ制御チャネルを介して通信する方法の好適ステップを示している。前述したデータ収集システム１０の構成要素の一般的な動作に留意しつつ、図１及び図４を参照すると、この方法は、スタート・ブロック２００からスタートする。ステップ２０２において、一以上のリモート・データ・ソース３０の動作が、通常は、予め決められた期間の間、監視される。ステップ２０４において、リモート・データ・ソース３０の動作又は運転特性に向けられた選択されたデータが収集され、格納される。選択データ及び予め決められた識別特性を含むデータ・パケットが、ステップ２０６にて準備される。ステップ２０８において、データ・パケットに対応するデータ・メッセージがＭＳＣ２４へＣＭＲシステム８の制御チャネル３８を介して送信される。上述のステップは、望ましくは、モニタ３２とセルラ通信装置３４とから形成される報告システム２９によって実行される一以上のソフトウェア・ルーチンによって実装される。
【０２１０】
プログラムは、次に、ブロックＡ（図５）に分岐する。このプログラム分岐のイネーブルの間、ＭＳＣ２４は、入来登録信号がローマーによって送信されたのか、又はホーム・ユニットによって送信されたのかについて、登録信号（この場合、データ・メッセージ）に含まれる情報に基づいて決定する。
【０２１１】
図５は、データ・メッセージがローマによって送信されたのか、又は、ホーム・ユニットによって送信されたのかどうかについて、及び、その結果、ＭＳＣ２４によってとられるアクションを最初の決定に基づいて決定するために、ＭＳＣ２４によってとられる好適ステップを示す。図１及び図５を参照にすると、ＭＳＣ２４によって行われるデータベース動作は、分岐Ａのステップ２１０で始まる。ステップ２１０において、データ・メッセージのような登録信号は、制御チャネル３８を介してＭＳＣ２４で受信される。判断ブロック２１４において、受信されたＭＩＮが、ＭＳＣ２４のデータベース内にエントリを有するホーム・ユニットに付随するＭＩＮである場合、「ＹＥＳ」分岐に従って、ブロック２１６へ進む。ブロック２１６において、ホーム・ユニットはＭＳＣ２４に登録する。セル１２内で動作する従来の無線電話のうちの少なくとも一部は、ＣＭＲシステム８によって提供されるセルラ・サービスへの加入者を表すことは非常にありそうなことであり、従って、それらの無線電話は、ホーム・ユニットとして識別される。一方、セル１２内で動作しているセルラ通信装置３４による送信は、望ましくは、データ収集システム４０のような外部又はリモートＣＭＲシステムに付随するローマーからの送信として見えるように設計される。
【０２１２】
受信されたＭＩＮがホームＭＩＮでない場合は、「ＮＯ」分岐に従ってステップ２１８へ進み、そこで、ＭＳＣ２４は、登録信号のソースがローマーであることを決定する。すなわち、データ・メッセージに対して、ＭＳＣ２４は、ＭＩＮに対応するデータ・フィールド内に置かれた予め決められた識別特性に従ってこの決定を行う。予め決められた識別特性の少なくとも一部は、データ収集システム４０を、セルラ通信装置３４に対する「ホーム」・サービス提供者として識別する。従って、ＭＳＣ２４は、データ・メッセージが外部ＣＭＲシステム、具体的には、データ収集システム４０に付随するローマーによって送信されたことを決定する。
【０２１３】
判断ブロック２２０において、ＣＭＲシステム８への以前の登録の結果として、ローマーのＭＩＮがデータベース内に存在するかどうかについて決定するため、ＭＳＣ２４によって維持されるデータベースがチェックされる。以下により詳細に説明されるように、ＭＳＣ２４は、データ・メッセージが、セルラ・システム８に付随する従来の無線電話機によってではなく、セルラ通信装置３４によって送信されたので、通常、このデータベース内のデータ・メッセージの予め決められた識別特性を位置決めしない。この問合わせが否定的な場合は、「ＮＯ」分岐に従って、ブロック２２２へ進む。ブロック２２２において、ＭＳＣ２４は、所定の識別情報をローマーに付随する外部ＣＭＲシステムへ転送する。データ・メッセージに対して、ＭＳＣ２４は、予め決められた識別特性及び選択データを含むデータ・メッセージを第一通信リンク４２を介してデータ収集システム４０へ送信する。このポイントにおいて、データ収集システム４０は、データ・メッセージが所望の選択データを含むことを認識し、通常、選択データの後の使用を容易にするため、選択データをメモリ格納装置４４内に格納する。
【０２１４】
ローマーのＭＩＮがＭＳＣ２４のデータベースに含まれている場合は、「ＹＥＳ」分岐に従うことで、ステップ２２２及び２２４は飛ばされて、判断ブロック２２８へ進む。
【０２１５】
ローマー、すなわち、セルラ通信装置３４に関する情報は、その後、ステップ２２４の間に、データ収集システム４０によって送信された確認メッセージに応答して、少なくとも一時的には、ＭＳＣ２４でデータベースに追加される。しかしながら、ステップ２２８においては、ＭＳＣ２４がＭＳＣデータベースからのローマー情報の削除を要求する指示を、データ収集システム４０から受信したかどうかを決定するため、問合わせが行われる。応答が肯定的な場合は、「ＹＥＳ」分岐に従って、ステップ２３０に進み、ＭＳＣ２４は、データベースからエントリを削除する。このようにして、データベースは、ＭＳＣ２４の動作にもはや関係しない情報によって散らかされることはない。一方、応答が否定的な場合は、「ＮＯ」分岐に従って、ステップ２２８に戻る。
【０２１６】
図５に示されたステップは、望ましくは、ＭＳＣ２４上に置かれ、ＭＳＣ２４によって実行される一以上のソフトウェア・ルーチンによって実装される。このプロセスをコード化し、必要なソフトウェア・ルーチンを生成するのに必要なソフトウェア開発技法は、当業者には既知である。
【０２１７】
図６は、セルラ・システムのセルラ・ネットワーク制御チャネルが使用に支障がない場合に、制御チャネルを介したデータ・メッセージの送信を開始する方法のステップを示すフローチャート図である。図１及び図６を参照すると、この方法は、ステップ・ブロック２４０からスタートする。ステップ２４２において、所定の時間間隔が満了したかどうかについて問合わせが行われる。時間期間が満了していない場合は、「ＮＯ」分岐に従って、スタート・ブロックへ戻る。一方、時間期間が満了した場合は、「ＹＥＳ」分岐に従って、ブロック２４４へ進む。ブロック２４４において、所定の時間間隔の満了時に、クロック信号が出力される。予め決められた識別特性及び選択データを含むデータ・メッセージの送信を可能とするため、データ・パケットが、ステップ２４６において準備される。このポイントにおいて、セルラ通信装置３４は、セルラ・ネットワーク制御チャネルのデータ・チャネルが非干渉ベースで利用可能であれば、データ・メッセージを送信する準備が整う。
【０２１８】
ステップ２４８において、セルラ通信装置３４は、制御チャネル３８のＦＯＣＣによって運ばれるビジー・アイドル・ビットのストリームを監視し、その後、時間間隔あたりの２進数の値１を有する最後の「ｎ」ビジー・アイドル・ビットに対する平均を計算する。判断ブロック２５０において、計算された「ｎ」平均が格納された時間間隔あたりの２進数の値１を有するビジー・アイドル・ビットの最大カウントの実行時平均未満であるかどうかについて決定するため、問合わせが行われる。この問合わせに対する応答が否定的な場合は、制御チャネル３８は、ビジーで、これにより、データ・メッセージの送信は、「ＮＯ」分岐に従って、ステップ２４８に進むことによって、遅らされ、ビジー・アイドル・ビットを監視し、平均を計算するシークエンスが続けられる。一方、応答が肯定的な場合は、「ＹＥＳ」分岐に従って、ステップ２５２に進み、データ・メッセージが制御チャネル３８のＲＥＣＣを介してＭＳＣ２４へ送信される。
【０２１９】
図６に示されたステップは、望ましくは、セルラ通信装置３４上に置かれ、セルラ通信装置３４によって実行される一以上のソフトウェア・ルーチンによって実装される。このプロセスをコード化し、必要なソフトウェア・ルーチンを生成するのに必要なソフトウェア開発技法は、当業者には既知である。
【０２２０】
本発明の他の実施例を示す図７を参照すると、ページング受取通知システム１０’は、ページング・メッセージの受取りに応答して受取通知メッセージを通信するＣＭＲシステム８’の環境内で動作する。これにより、システム１０’によって提供される通信サービスを使うページング・パーティは、ページされたパーティが実際にページング・メッセージを受信したというある形態の受取通知を受信できる。
【０２２１】
データ収集システム１０と同様に、ページング受取通知システム１０’は、ＣＭＲシステム８のような従来のＣＭＲシステムによって提供される設置済み設備を活用して、受取通知メッセージを通信するローカル・エリア又はワイド・エリアのいずれかの通信システムを提供する。受取通知メッセージは、音声ベースの情報ではなく、データに基づく情報を含むので、システム１０’は、ＣＭＲシステムのセルラ・ネットワーク制御チャネルのみを受取通知メッセージを通信するために使う。ＣＭＲシステムの貴重な音声チャネルのいかなる使用をも避けることによって、システム１０’は、セルラ無線電話のユーザによる従来の電話通話用の音声チャネルの使用を節約する。これにより、システム１０’は、従来の音声ベース・アプリケーション、すなわち、電話通話へのあらゆる干渉を最小限にしつつ、ＣＭＲシステムにおける既存又は適用された設備によって提供される手に入る資源の拡大使用を可能にする。
【０２２２】
図７に示されるように、ページング受取通知システムは、少なくとも一つのページング端末（ｐａｇｉｎｇ  ｔｅｒｍｉｎａｌ）１５０及びデータ収集システム４０’とからなる通信システム１４９と、一以上のリモート通信装置１５２と、ＣＭＲシステム８’に付随する少なくとも一つのＭＳＣ２４’とを含む。一般に、通信システム１４９は、ページング・パーティからのページング・メッセージに、ページング・メッセージに対応するデータ・メッセージを準備することによって応答する。通信システム１４９によってデータ・メッセージに割り当てられた特定の受取通知コードは、データ・メッセージが一以上の通信装置１５２によって適切に受取通知されたかどうかについての後の決定をサポートするため格納される。通信システム１４９は、その後、データ・メッセージを通信経路１５６を介して、選択されたリモート通信装置１５２へ送信する。
【０２２３】
選択されたリモート通信ユニット１５２は、データ・メッセージを受信し、その後、データ・メッセージから取られた受取通知コードを含む受取通知メッセージを準備する。そして、選択されたリモート通信装置１５２は、受取通知メッセージをＭＳＣ２４’へセルラ・ネットワーク制御チャネル３８を介して送信する。ＭＳＣ２４’は、受取通知メッセージのソースが通信システム１４９に関連することを認識し、受取通知メッセージを第一通信リンク４２’を介して通信システム１４９へ転送する。通信システム１４９は、受取通知メッセージを処理し、受取通知メッセージがデータ・メッセージの特定のものに対応するかどうかを決定する。この決定は、受取通知メッセージ内の受取通知コードをデータ・メッセージに付随する格納された受取通知コードと比較することによって行われる。マッチした場合、受取通知は、後の使用のため格納することもでき、又は、ページング・パーティへ提供することもできる。
【０２２４】
図７を続けて参照し、より詳細にページング受取通知システム１０’の動作を検討すると、リモート・サイトの別のパーティにコンタクトすることを希望するパーティは、ページング端末１５０による最終的な送信のために、ページング・メッセージを通信ネットワーク１５１を介して転送する。ページング・メッセージに応答して、ページング端末１５０は、ページング・メッセージに対応するデータ・メッセージを、アンテナ１５４を介して送信する。ページング端末１５０とアンテナ１５４の組み合わせは、望ましくは、データ・メッセージを既知の地理的領域にわたってブロードキャストする能力を有するワイヤレス送信システムとして動作する。リモート通信装置１５２は、地理的カバー領域内で動作し、その特定アドレスを含むデータ・メッセージに応答する。特に、リモート通信装置１５２は、受取通知メッセージをＣＭＲシステム８’のセルラ・ネットワーク、すなわち、制御チャネル３８とＭＳＣ２４’を介して送信する。以下に示されるように、受取通知メッセージのＭＳＣ２４’による受信は、データ・メッセージの受信を確認する処理を可能にする。
【０２２５】
好適実施例においては、ページング端末１５０は、ページング・メッセージを、望ましくは公衆交換電話網（ＰＳＴＮ）のような通信ネットワーク１５１を介して受信する。通信ネットワーク１５１は、付加価値通信網（ＶＡＮ）（不図示）のようなデータ・ネットワーク又は専用データ線（不図示）を含む、他の既知通信システムとして実装できることはわかるであろう。ページング端末１５０は、受取通知システムに対する特殊要求を扱うために適用され、対応するデータ・メッセージを準備することによってページング・メッセージに応答する。データ・メッセージは、以下の情報を含む：（１）意図された受信装置、特に、選択されたリモート通信装置１５２を一意的に識別するアドレス、（２）特定のデータ・メッセージ及び対応するページング・メッセージを一意的に識別する受取通知コード、（３）ページング・メッセージに付随するページング・データ。データ・メッセージのフォーマットは、図８を参照して、以下で、より詳細に説明される。
【０２２６】
ページング・パーティは、通常、選択されたリモート通信装置１５２に対するアドレス及び選択装置１５２のユーザへの通信のためのページング・データに関連する情報を提供する。一方、ページング端末１５０は、データ・メッセージとの使用のための受取通知コードを提供するように適用され、望ましくは、以下に説明するように、受取通知メッセージ内でリモート通信装置１５２から戻される受取通知コードとの後の比較を可能とするため、受取通知コードを格納又は保管する。各データ・メッセージには、データ・メッセージと特定の受取通知メッセージとの比較をサポートするため、固有の受取通知コードが割り当てられる。ページング端末１５０は、その後、目的のページ・パーティへのページング・メッセージの通信を完了させるため、データ・メッセージを送信する。
【０２２７】
ページング・メッセージのローカル・エリア通信においては、ページング端末１５０は、対応するデータ・メッセージを、通常、ページング端末１５０の地理的カバー領域内で動作することが知られている選択されたリモート通信装置１５２による直接受信のため、送信する。しかしながら、リモート通信装置１５２が通常、ページング端末１５０の地理的カバー領域の外で動作する場合は、端末１５０は、適切な地理的領域内でのデータ・メッセージの送信のため、データ・メッセージを別のページング端末へ国内（ｎａｔｉｏｎａｌ）ページング・ネットワーク（不図示）を介して転送する。このような、ワイド・エリア通信ネットワークを形成するための、通信ネットワークによって接続されるページング端末群の使用の仕方は、ページング産業においてよく知られている。したがって、以下のシステム１０’の動作説明は、データ・メッセージのリモート通信装置１５２へのローカル分配（ｌｏｃａｌ  ｄｉｓｔｒｉｂｕｔｉｏｎ）に基づいて行う。
【０２２８】
ページング端末１５０は、その地理的カバー領域内で動作するリモート通信装置１５２と、望ましくは、マイクロ波又は無線周波数（ＲＦ）無線リンクのようなワイヤレス通信システムとして実装される通信経路１５６を介して通信する。しかしながら、通信経路１５６は、専用データ線又は従来の電話施設を含む実配線通信システムとしても実装できることはわかるであろう。好適通信経路１５６に対して、ページング端末１５０は、データ・メッセージをアンテナ１５４を介して送信する。
【０２２９】
リモート通信装置１５２は、ページング・メッセージに付随するページング・データを装置１５２のユーザへ提供することによって、その特定アドレスを含むデータ・メッセージに応答する。従来のページャと同様のやり方で、好適リモート通信装置１５２は、データ・メッセージの受信を示すため、警報（ａｌｅｒｔ）をユーザへ出力し、その後、従来のやり方で、ページング・データをユーザに与える。ページング・システム産業ではよく知られているように、警報は、視覚的、聴覚的、又は触覚的シグナルであることができ、ページング・データの提示は、可聴又はテキスト（又はグラフィック）フォーマットで行える。
【０２３０】
リモート通信装置１５２は、更に、ＣＭＲシステム８’を介してデータ・メッセージの受取通知コードを含む受取通知メッセージを送ることによって、データ・メッセージに応答する。受取通知コードが、出行（ｏｕｔｇｏｉｎｇ）データ・メッセージ（及び対応するページング・メッセージ）と入来受取通知メッセージとの間の後の関係付けを可能にすることはわかるであろう。図９に関連して、より詳細に説明されるように、受取通知メッセージは、制御チャネル３８を介した情報の通信を可能とするため、この情報をデータ・タイプ・フォーマットで含む。特に、ＣＭＲシステムの既知アーキテクチャを活用するため、受取通知メッセージは、ＣＭＲシステムに最初に自己識別をする時に従来の無線電話機によって送信される登録信号として見えるようにフォーマットされる。
【０２３１】
リモート通信装置１５２は、受取通知メッセージを、セルラ通信リンク３６を介してセル１２内のセル・コントロール１６へ送る。次いで、セル・コントロール１６は、受取通知メッセージをデータ・リンク２２を介してＭＳＣ２４’へ転送する。制御チャネル３８は、データ・リンク２２及びセルラ通信リンク３６により形成され、セル１２内の各リモート通信装置１５２とＭＳＣ２４’との間での制御信号の通信を可能にする。
【０２３２】
ＭＳＣ２４’は、受取通知メッセージを制御チャネル３８を介して受信し、受取通知メッセージ内に与えられた所定の情報に基づいて、メッセージがローミング無線電話機によって送信されたように見えることを決定する。受取通知メッセージが実際にリモート通信装置１５２によって送信されたという認識なしに、ＭＳＣ２４’は、あたかもメッセージがローマーによって送信されたかのように受取通知メッセージを扱う。これにより、ＭＳＣ２４’は、第一通信リンク４２’を介して受取通知メッセージをデータ収集システム４０’へ転送する。次いで、データ収集システム４０’は、受取通知メッセージが受取通知コードを含むことを認識し、出行データ・メッセージに割り当てられた格納された受取通知コードとの比較のため、コードを通信リンク１７４を介してページング端末１５０へ送る。マッチが成功すると、特定のページング・メッセージに対応するデータ・メッセージの受信が確認できる。
【０２３３】
ページング受取通知システム１０’の動作の詳細を更に検討する前に、データ・メッセージ及び受取通知メッセージに対するデータ構造を検討することは有用であろう。図８は、ページング・メッセージに応答してページング端末１５０によって送信されるデータ・メッセージのフォーマットを示すテーブルである。図７及び図８を参照すると、データ・メッセージに対するデータ・レコード１６０は、特定のリモート通信装置１５２を一意的に識別するアドレス・データと、データ・メッセージ及び対応するページング・メッセージを一意的に識別する受取通知コードと、選択されたリモート通信装置を操作する加入者への通信に意図されたページング・データとを含む。標準ページング・システムと同様に、フィールド１６２内のアドレス・データは、望ましくは、選択されたリモート通信ユニット１５２に割り当てられた、特定のＣＡＰコード又は個人識別番号（ＰＩＮ）に関連付けられる。アドレス・データ、受取通知コード、及びページング・データは、それぞれ、アドレス・データ・フィールド１６２、受取通知コード・フィールド１６４、ページング・データ・フィールド１６６という別々のデータ・フィールドに含まれる。データ・フィールド１６２、１６４、及び１６６は、望ましくは、フィールド内の情報を分離し、そのような情報の正確な読取りを可能にするため、一以上の識別キャラクタ又はキャラクタ・ストリングによって分離される。
【０２３４】
ページング・メッセージは、通常、ページング・パーティが、図７ではＰＳＴＮとして示される通信経路１５１を介して、ページング端末１５０にコンタクトした時に開始される。そして、ページング・パーティは、リターン電話番号のような所望のページング・データを、従来の方法で、ページング・データを適切なフォーマットでページング端末１５０に与えるオペレータに話すことによって、又は、ページング・データを電話施設を介して入力することによって、ページング端末１５０へ提供する機会を有する。また、ページング・メッセージは、電子メール・システムを介して送信されるメッセージに応答して、始めることもできることはわかるであろう。
【０２３５】
ページング・メッセージの成功した受取通知に対して、データ・メッセージの一部、具体的には、データ・フィールド１６４に含まれる受取通知コードは、ＣＭＲシステム８’によって転送される受取通知メッセージを介してページング端末１５０へ戻されなければならない。したがって、受取通知コードのキャラクタに対するフォーマットは、望ましくは、受取通知メッセージに対する全体のメッセージ・フォーマットとコンパチブルである。受取通知メッセージに対するデータ・レコードは、図９に示されている。図７及び図９を参照すると、受取通知メッセージに対するデータ・レコード１６８は、ユーザが入力したデータ及び受取通知コードの両方に対する分離したフィールドを含む。ユーザ入力データに対するフィールド１７０及び受取通知コードに対するフィールド１７２は、動作データに対するキャラクタ・ストリングの終了と受取通知コードに対するキャラクタ・ストリングの開始を識別するため、選択されたキャラクタ・セットによって分離されている。データ・メッセージの最後を示すため、一以上のキャラクタをデータ・レコードの最後に追加することができる。
【０２３６】
受取通知メッセージに対するデータ・レコード１６８は、望ましくは、ＣＭＲシステム８’のようなＣＭＲシステムに最初に自己識別する時に、無線電話によって送信される登録信号に対するメッセージ・フォーマットと同一である。特に、受取通知コードに対するデータ・フィールド１７２は、移動電話番号又はＭＩＮの少なくとも一部分に対する登録信号内の位置に対応する。受取通知コードは、望ましくは、従来の電話番号のセット、１０桁の数のセット、又は、割当てられていない移動電話番号のセットに属する。また、受取通知コードは、ＭＳＣ２４’に、受取通知メッセージがデータ収集システム４０’に関連付けられたソースによって送信されたことを決定できるようにする情報も含む。
【０２３７】
ページング受取通知システム１０’の好適実施例においては、リモート通信装置１５２を使う加入者は、受信されたデータ・メッセージへの応答を提供するオプションを有する。この応答は、動作データ（ｏｐｅｒａｔｉｏｎ  ｄａｔａ）と呼ばれ、ユーザによって、従来のやり方で、動作データをリモート通信ユニット１５２に設置されるキーボードを介して入力することによって、提供される。または、受信データ・メッセージへの応答は、リモート通信ユニット１５２によって、加入者による動作なしに、自動的に供給されることもできる。動作データは、通常、受取通知メッセージ・データ・レコード１６８のデータ・フィールド１７０内に挿入されるテキスト・キャラクタ又はバイナリ・データから構成される。
【０２３８】
動作データに対するデータ・フィールド１７０は、ＥＳＮに対する登録信号のデータ・レコード内の位置に対応する。８ビット製造者コード・セグメントに基づくＥＳＮを見たり、調べたりしないセルラ・システムにおいては、通常はＥＳＮに割り当てられる３２ビット・データ・フィールドの全体を動作データのために使うことが可能である。しかしながら、セルラ・システムがＥＳＮの製造者コード・セグメントに対する８ビット・フィールドを調べる場合は、動作データは、ＥＳＮに通常割り当てられるデータ・フィールドの残りの２４ビット内に収まらなければならない。２４ビットの動作データを有する受取通知メッセージは、ほとんどのアプリケーションでの限られた応答の通信には充分であるので、ほとんどのアプリケーションにおいて、ＥＳＮの製造者コード・セグメントをデータ使用のために操作する必要はないであろう。受取通知メッセージ内での動作データの配置に対するＥＳＮロケーションの２４ビットだけの使用でも、１６００万以上の応答を可能にすることがわかるであろう。
【０２３９】
また、受取通知メッセージに対するフォーマットは、登録信号内のＥＳＮに対するロケーションに対応するデータ・フィールド内に、受取通知コード及びオプション動作データの両方の挿入が可能になるよう変更することができる。この代替メッセージ・フォーマットにおいては、各データ・メッセージには、識別受取通知コードが割当てられており、各リモート通信装置１５２には、送信セルラ・ソースを識別するために働く固有の移動電話番号が割り当てられる。このタイプの受取通知コードを含むデータ・メッセージに応答して、リモート通信装置１５２は、その特定の移動電話番号を含むデータ・フィールドと受取通知コードとオプション動作データの両方を含むデータ・フィールドとを含む受取通知メッセージを出力する。受取通知コードは、望ましくは、同じデータ・フィールド内で動作データから一以上の分離キャラクタにより分離されている。この受取通知メッセージは、登録信号を表すようにフォーマットされており、データ・フィールドは、従来の登録信号内のＭＩＮ及びＥＳＮの位置に対応する。この受取通知メッセージ内の移動電話番号は、送信しているセルラ・ソース、具体的には、特定のリモート通信装置１５２を識別するのに役立ち、受取通知コードは、対応するデータ・メッセージ（及びページング・メッセージ）を識別するため作用する。
【０２４０】
図７を再び参照すると、データ・メッセージに応答して、リモート通信装置１５２は、自動モードで加入者の介入なしにか、手動モードで加入者の制御により、データ・メッセージを送信する。登録信号に付随するメッセージ・フォーマットを有する受取通知メッセージを送信することにより、受取通知メッセージが有効な移動電話番号及びＥＳＮの両方を含むように見えるので、リモート通信装置１５２は、ＭＳＣ２４’に登録する。リモート通信装置１５２は、単に、受取通知を、従来の音声ベース電話呼の代わりにデータ・タイプ信号として、制御チャネルを介して送ろうとしているだけであるが、それにもかかわらず、装置１５２は、ＭＳＣ２４’との動作のため登録し、ＣＭＲシステム８’を介した受取通知コードの通信をできるようにする。
【０２４１】
受取通知メッセージに応答して、ＭＳＣ２４’は、信号を送信した装置が、認可されたユーザ又はＣＭＲシステム８’によって提供されるサービスの加入者であるかどうかについて判定する。この判定は、登録信号に対するＭＩＮ情報に対応する、データ・レコード１７２内の受取通知コードに基づいて行われる。受取通知コードの少なくとも一部は、選択されたリモート通信装置１５２が別の「リモート」セルラ・システムに付随することを示す。この情報に基づいて、ＭＳＣ２４’はそのデータベースをチェックし、リモート通信装置１５２がリモート・セルラ・システム、すなわち、データ収集システム４０’に加入していることを判定する。このようにして、ＭＳＣ２４’は、受取通知メッセージのソースがローマーとして扱われることを決定する。したがって、ＭＳＣ２４’は、受取通知メッセージをＣＭＲシステム８’内で動作しているローミング移動無線電話からの送信として解釈することがわかるであろう。
【０２４２】
受取通知コードの一部分で識別されるリモート・セルラ・システムは、電話通話をサポートする実際の動作セルラ・システムではないが、受取通知ベースのアプリケーションによって専用され、データ収集システム４０’によって表わされる。リモート通信装置１５２がこのリモート・セルラ・システムに付随するという認識のもと、ＭＳＣ２４’は、受取通知メッセージをデータ収集システム４０’へ第一通信リンク４２’を介して転送する。データ収集システム４０’は、受取通知メッセージのソースがデータ収集システム４０’に付随すること、及び、ＭＳＣ２４’はそのソースから通信を受け取らなければならないことを確認する確認メッセージをＭＳＣ２４’へ送ることにより応える。次いで、リモート通信装置１５２は、ＭＳＣ２４’で、登録された無線電話として登録ローマーのデータベースに追加され、これにより、ＭＳＣ２４’での受取通知メッセージ・ソースの登録を完了する。
【０２４３】
データ収集システム４０’は、続いて、リモート通信ソース１５２をその登録ローマーのリストから削除するようＭＳＣに指示するメッセージをＭＳＣ２４’へリンク４２’を介して送信する。受取通知メッセージのデータ収集システム４０’への転送後はもはやリモート通信ソース１５２に関する登録情報を維持する必要はないので、このエントリはＭＳＣデータベースから削除される。または、登録リモート通信装置１５２に対するデータベース・エントリは、ＭＳＣ２４’により時間間隔の満了時に、削除される。
【０２４４】
ＭＳＣ２４’とは異なり、データ収集システム４０’は、選択されたリモート通信装置１５２がデータ・メッセージを受信し、応答、すなわち受取通知コード及び動作データを含む受取通知メッセージを転送したことを確認する所定のデータを受取通知メッセージが含むことを認識する。これにより、データ収集システム４０’は、ページング端末が受取通知レコードを更新できるように、受取通知コード及び動作データを通信リンク１７４を介してページング端末１５０へ送る。
【０２４５】
次いで、ページング端末１５０は、データ収集システム４０’によって供給される受取通知コードを、データ・メッセージ（及び対応するページング・メッセージ）に割り当てられた受取通知コードのリストと比較する。マッチした場合は、ページング・メッセージの目的の受信者、すなわち、選択されたリモート通信装置１５２がデータ・メッセージを受信し、データ・メッセージの受領を確認するため受取通知メッセージを転送したことを示す。この比較に基づき、ページング端末１５０は、受取通知情報をデータベース又はメモリ格納装置内に、このページング・メッセージの受取通知をページング・パーティによるアクセス用に保管するため格納する。また、ページング端末１５０は、ページング・パーティによる選択されたリモート通信装置１５２のユーザからの応答へのアクセスを可能とするため、あれば動作データも格納する。
【０２４６】
データ収集システム４０’及びページング端末１５０は、異なる場所に置かれる別のシステムとしても、同じサイトの完全統合された施設としても設置できることはわかるであろう。
【０２４７】
ページング受取通知システムについてのこの説明は、ページング・サービスへの加入者によるリモート通信ユニット１５２の使用について言及するが、リモート通信ユニット１５２も、ページング情報を、かかるページング情報を受信するために適用される設備に提供できることはわかるであろう。例えば、データ・メッセージのページング端末１５０による送信は、データ・ソースからのデータの記録のような、適用施設による動作を開始させるのに便利である。データ・メッセージに応答して、適用設備は、動作データをリモート通信ユニット１５２へ、セルラ・システム８’を介した中央収集サイトへの送信のために供給することもできる。施設が、主に、データ記録に使われると、リモート通信ユニット１５２によって送信される受取通知メッセージは、記録されたデータを含む動作データを含む。したがって、リモート通信ユニット１５２は、データ・メッセージ及び動作データの交換を可能とするため、適用設備に実配線接続又はワイヤレス・リンクを介して接続されることができる。
【０２４８】
データ・メッセージ・システム１０と同様に、データ収集システム４０’とＭＳＣ２４’との間の通信は、望ましくは、ＩＳ−４１標準と互換である。これにより、ＭＳＣ２４’は、データ・メッセージを、ＩＳ−４１ネットワークとして実装されることが望ましい第一通信リンク４２’を介してデータ収集システム４０’へハンドオフ又は転送できる。しかしながら、Ｍｏｔｏｒｏｌａ  ＤＭＸ  プロトコル及び他のベンダー独自のプロトコルを含む、他の装置及びプロトコルも、データ収集システム４０’との通信を実装するのに便利であることもわかるであろう。
【０２４９】
図１０に示されるように、受取通知ページング・システムの別の実施例１０”においては、通信システム１４９’は、データ収集システム４０”及びページング端末１５０’とから構成される。図１０を参照すると、データ収集システム４０”は、ページング・メッセージを、ページング端末１５０’ではなくＰＳＴＮのような通信ネットワーク１５１を介して受け取る。ページング・メッセージに応答して、データ収集システム４０”は、固有識別子をページング・メッセージ、すなわち、受取通知コードに割り当て、データ・パケットをページング端末１５０’への送信のため準備する。データ・パケットは、以下の情報を含む：（１）目的の受信装置を一意的に識別するアドレス、（２）受取通知コード、及び（３）ページング・データ。ページング端末１５０’は、データ・パケットを通信リンク１７６を介して受信し、応答において、選択されたリモート通信装置１５２による受信用のデータ・パケットに対応するデータ・メッセージを出力する。データ収集システム４０”は、また、格納された受取通知コードと、リモート通信ユニット１５２によりＣＭＲシステム８’を介して転送された受取通知メッセージ内の受取通知コードとの比較を可能にするため、データ・パケット（及びページング・メッセージ）に対応する受取通知コードも格納する。上記より、図１０に示されたデータ収集システム４０”は、図７に示された実施例１０’においては、ページング端末１５０によって実行されていた受取通知動作を行う（しかし、ページング動作は行わない）ことがわかるであろう。
【０２５０】
ページング端末とリモート通信装置１５２との間の通信、並びに、ＭＳＣ２４’とデータ収集システム４０”との間の通信は、図７に示された実施例について説明した動作と同一である。図１０を参照すると、ページング端末１５０’は、従来の方法で、アンテナ１５４を介して、選択されたリモート通信装置１５２による受信のため、データ・メッセージをブロードキャストする。応答において、選択されたリモート通信装置１５２は、受取通知メッセージを出力することにより、ＭＳＣ２４’に動作登録する。受取通知メッセージ内の受取通知コードの少なくとも一部分に基づいて、ＭＳＣ２４’は、選択されたリモート通信装置１５２が別のセルラ・システム（この場合、データ収集システム４０”）に関連することを認識する。これにより、ＭＳＣ２４’は、受取通知メッセージをデータ収集システム４０”へ第一通信リンク４２’を介して転送する。
【０２５１】
受取通知メッセージ内の受取通知コードを、対応するデータ・メッセージに割り当てられた格納された受取通知コードと比較することにより、データ収集システム４０”は、データ・メッセージが選択されたリモート通信装置１５２によって受信されたことを認識する。この受取通知に基づいて、データ収集システム４０”は、割り当てられた受取通知コードを、受取通知を待っている送信されたデータ・パケットのデータベースから削除し、その後、ページ・リクエストを発したパーティへ受取通知を与えるのに適切なアクションをとる。ページング端末は、受取通知動作を実行しない従来のページング・システムとして実装されているので、受取通知メッセージをページング端末１５０’へ転送する必要はない。
【０２５２】
当業者には、データ収集システム４０”及びページング端末１５０’は、異なる場所に配置される分離システムであり得るし、又は、完全統合施設として同じサイトに設置できることがわかるであろう。
【０２５３】
図１１は、リモート通信装置１５２の構成要素を示すブロック図である。図１１に示されるように、リモート通信装置１５２は、ページング装置１７８及びセルラ装置１７９を含む。望ましいリモート通信装置１５２においては、ページング装置１７８及びセルラ装置１７９は、典型的な移動加入者による装置１５２の利用を容易にするため、同じハウジング内にパッケージされる。発明者は、装置１５２が携帯可能になり、現在のページング装置及び無線電話に類似する小型パッケージ内に収容されることを予測している。装置を携帯して使用することを意図していることから考えて、バッテリが、装置１５２に対する望ましい電源である。
【０２５４】
ページング装置１７８は、データ・メッセージをページング端末１５０から通信経路１５６（図７）を介して受信し、次いで、受取通知コード及びページング・データをメモリ格納装置１８４内に格納するページング受信機１８０を含む。データ・メッセージに応答して、ページング受信機１８０は、データ・メッセージの受信を知らせるため、ユーザに警告を出力し、その後、既知の方法、典型的には、ディスプレイ（不図示）を介して、又はスピーカー（不図示）を介した可聴メッセージ出力として、ページング・データをユーザに提供する。
【０２５５】
また、ページング受信機１８０は、セルラ送信機１８２へ、２つの装置の間を接続するデータ・チャネル１８６を介して受取通知コードを出力することによって、データ・メッセージに応答する。ユーザがデータ・メッセージに、動作データを入力することにより応答すると、動作データは、セルラ送信機１８２へデータ・チャネル１８６を介して送信されるまで、通常、メモリ格納装置１８４内に格納される。上記により、ページング受信機１８０は、受取通知プロセスに付随する情報、すなわち、受取通知コードを受信するように適用された従来のページャであることがわかるであろう。したがって、ページング受信機１８０は、ページング受信機１８０がデータ・メッセージに含まれる情報を適切に認識し処理することを保証するため、データ・レコード１６０内のデータ・フィールドを区別をしなければならない。
【０２５６】
セルラ装置１７９は、受取通知コード及び動作データをデータ・チャネル１８６上を受信し、この情報をメモリ格納装置１９０内に格納するセルラ送信機１８２を含む。受取通知メッセージ送信においては、セルラ送信機１８２は、受取通知コード及び動作データをメモリ格納装置１９０から読み出し、この情報をデータ・フィールド１７０及び１７２へ置くことにより受取通知メッセージを準備し、その後、受取通知メッセージを制御チャネル３８を介して送信する。ＭＳＣ２４’と適切に通信するために、セルラ送信機１８２による受取通知メッセージの送信は、制御チャネル上の（音声信号ではなく）データ信号の転送のための従来のセルラ標準及びプロトコルと互換である。これにより、セルラ送信機１８２は、受取通知コード及び動作データをデータ・チャネル１８６を介して受け取るように適用される点を除いて、従来の無線電話機用の送信機として実装することができる。実際、データ・メッセージに応答して受取通知メッセージを送信することにより、リモート通信装置１５２は、標準の無線電話によって実行される自律登録動作に類似した動作を行う。
【０２５７】
システム１０は音声チャネルを、受取通知メッセージをＣＭＲシステム８’を介して転送するために使用しないので、セルラ送信機１８２は、制御チャネル３８のようなセルラ・ネットワーク制御チャネルのデータ・チャネル上を送信する能力のみが必要とされることがわかるであろう。これにより、セルラ送信機１８２は、セルラ・ネットワーク制御チャネルの音声及びデータの両チャネル上で動作する従来の無線電話より少ない電力を引き込むことになる。更に、セルラ送信機１８２は、通常、データ送信間隔の間だけ、電力を引き込み、これにより、望ましい電源であるバッテリの節約をする。典型的な受取通知メッセージ送信は、データ・パケットの形態で、データのバーストとして起こり、それより、更に、電源消費を削減する。リモート装置１５２は、主に、別のタイプの電源への常時アクセスを有しない移動加入者による使用を意図されるので、電力節約は、通信装置１５２の利便性に重要である。セルラ送信機１８２用の代替電源は、データ・バーストを送信するのに十分なエネルギーを格納できることができるコンデンサであることはわかるであろう。
【０２５８】
ＭＳＣ２４’から制御チャネル３８を介して通信を受信するため、セルラ装置１５２は、セルラ送信機１８２に接続されたセルラ受信機１９２も含む。セルラ受信機１９２は、従来の無線電話機用のセルラ受信機として実装できる。しかしながら、セルラ送信機１８２と同様に、望ましいセルラ受信機１９２は、ＣＭＲシステム８’の音声無線チャネルではなく、主にデータ無線チャネルを介して情報を受信するよう動作する。
【０２５９】
セルラ通信装置３４（図３）と同様に、リモート通信装置１５２は、非干渉ベースで制御チャネル３８が利用可能になるまで受取通知メッセージの送信を遅らせる受取通知メッセージ・キューイングの形式を利用することもできる。リモート通信ユニット１５２は、望ましくは、受取通知メッセージの送信前に制御信号活動のレベルを判定するために、制御チャネル３８上のビジー・アイドル・ビットを監視する。これは、制御チャネル３８を介してセル内で動作する無線電話機へ供給される通常制御信号に対する、セル１２内の一以上のリモート通信装置１５２による送信の影響を最小限にする。
【０２６０】
具体的には、セルラ受信機１９２は、連続した予め決められた時間期間の間、制御チャネル３８のＦＯＣＣによって運ばれるビジー・アイドル・ビットを監視する。ビジー・アイドル・ステータス信号の受信に応答して、リモート通信ユニット１５２は、時間期間あたりのビジー・アイドル・ビットの最高カウントの実行時平均と、時間期間あたりのビジー・アイドル・ビットの最後の「ｎ」カウントの両方を計算し格納する。実行時平均を計算するため、直前の間隔の間のビジー・アイドル・ビットのカウントが、格納された平均値より一標準偏差低い値より高い場合は、時間期間あたりのビジー・アイドル・ビットの新しく獲得されたカウントは、格納された平均値と平均がとられる。受取通知メッセージを制御チャネル３８を介して送信する前に、リモート通信ユニット１５２は、時間期間あたりのビジー・アイドル・ビットの格納された最後の「ｎ」カウントの平均をとり、計算された「ｎ」平均を格納された実行時平均値と比較する。計算された「ｎ」平均が格納された実行時平均値を下まわる場合は、セルラ送信機１８２は、受取通知メッセージを制御チャネル３８のＲＥＣＣを介して出力する。しかしながら、計算された「ｎ」平均が格納された実行時平均を超えると、セルラ送信機１８２は、送信を遅らせる。
【０２６１】
したがって、受取通知メッセージは、望ましくは、制御チャネル３８がリモート通信装置１５２によって支障なく利用可能である時のみ、発生する。このメッセージ・キューイング技法は、制御チャネル３８がビジーの場合は、受取通知メッセージの送信を遅らせることができることがわかるであろう。
【０２６２】
図１２は、ページング・メッセージに応答して、ＣＭＲシステムのセルラ・ネットワーク制御チャネルを介して受取通知メッセージを通信する方法の望ましいステップを示すフローチャート図である。図１０及び図１２を参照すると、この方法は、スタート・ブロック２６０においてスタートし、ステップ２６２において、ページング・メッセージが通信ネットワーク１５１を介して受信される。ページング・メッセージに対応するデータ・メッセージは、ステップ２６４において準備される。具体的には、受取通知コードが、アドレス・データ及びページング・メッセージによって以前に供給されたページ・データに追加される。ステップ２６５において、データ・メッセージ（及びページング・メッセージ）に付随する受取通知コードが、後の受取通知動作の間の使用のため、格納される。データ・メッセージは、ステップ２６６において、ページング端末１５０’のようなページング端末により送信される。
【０２６３】
ステップ２６８において、データ・メッセージが、データ・メッセージ内に含まれる特定アドレスを有する選択されたリモート通信ユニット１５２によって受信される。応答として、受取通知メッセージがステップ２７０の間に準備される。受取通知メッセージは、データ・メッセージから取られた受取通知コード、及び加入者によって入力された動作データを含む。ステップ２７２において、受取通知メッセージは、ＭＳＣ２４’へ制御チャネル３８を介して送信される。
【０２６４】
ＭＳＣ２４’は、受取通知メッセージをステップ２７４において受信し、受取通知メッセージ内の受取通知コードの少なくとも一部分に基づいて、ステップ２７６において、受取通知メッセージをデータ収集システム４０”へ転送する。ステップ２７８においては、受取通知メッセージ内の受取通知コードが、特定のデータ・メッセージに付随する以前に格納された受取通知コード（ステップ２６５参照）と同一であるかどうか決定するために問合わせが行われる。答えが肯定的であれば、「ＹＥＳ」分岐に従って、ステップ２８０に進み、そこで、ページング・メッセージの受信を確認する受取通知がページング・パーティへ供給される。一方、応答が否定的であった場合は、「ＮＯ」分岐に従って、ステップ２８２に進む。ステップ２８２においては、ページング・パーティに、ページング・メッセージに応答して受取通知が受信されなかったことが知らせられる。
【０２６５】
ここで説明された特定の実施例は、例として開示されており、当業者には、添付クレームの範囲及び精神から逸脱せずに、他の変形が行えることは、わかるであろう。
【図面の簡単な説明】
【図１】図１は、ＣＭＲシステムの望ましい環境でのデータ・メッセージ・システムの好適実施例のブロック図である。
【図２】図２は、データ・メッセージ・システムを介して通信されるデータ・メッセージに対するフォーマットを示すテーブルである。
【図３】図３は、データ・メッセージ・システムに対するデータ報告システムのブロック図である。
【図４】図４は、データ・メッセージをデータ・メッセージ・システムを介して通信する方法のステップを示すフローチャート図である。
【図５】図５は、移動スイッチング局によるデータ・メッセージの処理する方法のステップを示すフローチャート図である。
【図６】図６は、制御チャネルを介してデータ・メッセージの送信を始める方法のステップを示すフローチャート図である。
【図７】図７は、ＣＭＲシステムの望ましい環境でのページ受取通知システムの好適実施例のブロック図である。
【図８】図８は、ページ受取通知システムを介して通信されるデータ・メッセージに対するフォーマットを示すテーブルである。
【図９】図９は、ページ受取通知システムを介して通信される受取通知メッセージに対するフォーマットを示すテーブルである。
【図１０】図１０は、ページ受取通知システムの別の実施例のブロック図である。
【図１１】図１１は、リモート通信装置のブロック図である。
【図１２】図１２は、受取通知メッセージをページ受取通知システムを介して通信する方法のステップを示すフローチャート図である。
【図１】
0003600570.tif 000002
【図２】
0003600570.tif 000003
【図３】
0003600570.tif 000004
【図４】
0003600570.tif 000005
【図５】
0003600570.tif 000006
【図６】
0003600570.tif 000007
【図７】
0003600570.tif 000008
【図８】
0003600570.tif 000009
【図９】
0003600570.tif 000010
【図１０】
0003600570.tif 000011
【図１１】
0003600570.tif 000012
【図１２】
0003600570.tif 000013